(57)【要約】  無線信号群の１つ以上のブランチを、集中基地局内においてチャネル処理ユニット及び遠隔無線周波数ユニット間で、又はパケットネットワークを介して基地局間で伝送する方法であって、無線信号群の前記ブランチの各々はある無線フレーム周期を持つ信号フローである。  前記方法は、前記無線信号群中の各ブランチの無線信号のサンプルデータストリームを取得するステップと、前記サンプルデータストリームを固定長の連続データセグメントへと分割するステップと、前記データセグメントを所定プロトコルに準じてアプリケーションプロトコルパケットへとカプセル化するステップであって、各アプリケーションプロトコルパケットが更に、前記データセグメントが属する前記ブランチの全てのデータセグメントにおける、前記パケットの前記データセグメントの順番を表す第一の情報と、前記ブランチのペイロードタイプを表す第二の情報と、前記パケットの前記データセグメントが無線フレーム周期の開始に対応するデータサンプルを含んでいるか否かを表す第三の情報と、前記第三の情報が無線フレーム周期の開始に対応するデータサンプルを含むことを表す場合に、前記データセグメント中の前記データサンプルの位置を表す第四の情報と、を含むステップと、生成された前記アプリケーションプロトコルパケットを、ネットワーク伝送プロトコルに準じてネットワークプロトコルパケットへとカプセル化し、それらを所定のあて先へと伝送するステップと、を含む。  前記ネットワークプロトコルパケットは更に、前記１つ以上のブランチのうちの前記パケットが属する１つを識別する第五の情報を含み、前記第五の情報とネットワーク伝送ソースアドレス及びあて先アドレスが前記ブランチを一意に識別する。
2008506322.tif 000002
【特許請求の範囲】
【請求項１】
無線信号群の１つ以上のブランチを、集中基地局内においてチャネル処理ユニット及び遠隔無線周波数ユニット間で、又はパケットネットワークを介して基地局間で伝送する方法であって、無線信号群の前記ブランチの各々がある無線フレーム周期を持つ信号フローであり、
前記方法が、
前記無線信号群中の各ブランチの無線信号のサンプルデータストリームを取得するステップと、
前記サンプルデータストリームを固定長の連続データセグメントへと分割するステップと、
前記データセグメントを所定プロトコルに準じてアプリケーションプロトコルパケット中にカプセル化するステップであって、各アプリケーションプロトコルパケットが更に、前記データセグメントが属する前記ブランチの全データセグメント中における前記パケットの前記データセグメントのシーケンスを表示する第一の情報と、前記ブランチのペイロードタイプを表す第二の情報と、前記パケットの前記データセグメントが無線フレーム周期の開始に対応するデータサンプルを含んでいるか否かを表す第三の情報と、前記第三の情報が無線フレーム周期の開始に対応するデータサンプルを含むことを表す場合に前記データセグメント中の前記データサンプルの位置を表す第四の情報と、を含むステップと、
生成された前記アプリケーションプロトコルパケットを、ネットワーク伝送プロトコルに準じてネットワークプロトコルパケットへとカプセル化し、それらを所定のあて先へと伝送するステップであって、前記ネットワークプロトコルパケットが前記１つ以上のブランチのうち、前記パケットが属する１つを識別する第五の情報を更に含み、前記第五の情報とネットワーク伝送ソースアドレス及びあて先アドレスが前記ブランチを一意に識別するステップと、を含む方法。
【請求項２】
前記ブランチの各々が、同じ機能ノード、同じセル、同じ搬送周波数、同じ無線インターフェース規格及びシステムに属する無線信号データストリームを含む請求項１に記載の方法。
【請求項３】
少なくとも１つのブランチが複数の並列チャネルの無線信号を含み、前記少なくとも１つのブランチのサンプルデータが、前記複数の並列チャネルの無線信号の同時サンプルデータである請求項２に記載の方法。
【請求項４】
ネットワーク伝送プロトコルに準じてネットワークプロトコルパケットへとカプセル化する前記ステップが、
ユーザーデータグラムプロトコル（ＵＤＰ）に準じて前記アプリケーションプロトコルパケットを固定長のＵＤＰパケットへとカプセル化することであって、ＵＤＰパケットヘッダが前記第五の情報を構成するソースポート番号及びあて先ポート番号を含むカプセル化と、
ＩＰｖ４又はＩＰｖ６プロトコルに準じて前記ＵＤＰパケットをネットワークプロトコルパケットへとカプセル化することと、を含む請求項１に記載の方法。
【請求項５】
ネットワーク伝送プロトコルに準じてネットワークプロトコルパケットへとカプセル化する前記ステップが、マルチプロトコルラベルスイッチ（ＭＰＬＳ）プロトコルに準じて前記アプリケーションプロトコルパケットを固定長のＭＰＬＳパケットへとカプセル化することであって、ＭＰＬＳ仮想回路ラベルが前記第五の情報として働き、ＭＰＬＳトンネルラベルが前記ネットワーク伝送ソースアドレス及び前記あて先アドレス間の接続を識別するように働くカプセル化を含む請求項１に記載の方法。
【請求項６】
ネットワーク伝送プロトコルに準じてネットワークプロトコルパケットへとカプセル化する前記ステップが、
マルチプロトコルラベルスイッチ（ＭＰＬＳ）プロトコルに準じて前記アプリケーションプロトコルパケットを固定長のＭＰＬＳパケットへとカプセル化することであって、ＭＰＬＳ仮想回路ラベルが前記第五の情報として働き、ＭＰＬＳトンネルラベルが前記ネットワーク伝送ソースアドレス及び前記あて先アドレス間の接続を識別するように働くカプセル化と、
ＩＰｖ４又はＩＰｖ６プロトコルに準じて前記ＭＰＬＳパケットをネットワークプロトコルパケットへとカプセル化することと、を含む請求項１に記載の方法。
【請求項７】
所定プロトコルに準じてカプセル化する前記ステップが、
前記データセグメントを固定長のデータパケットへとカプセル化することであって、前記データパケットヘッダが前記第四の情報を含むカプセル化と、
リアルタイム伝送プロトコル（ＲＴＰ）に準じて前記データパケットを固定長のＲＴＰパケットへと、前記アプリケーションプロトコルパケットとしてカプセル化することであって、前記ＲＴＰパケットヘッダが前記第一の情報、第二の情報及び第三の情報を含み、同じブランチに属するＲＴＰパケットが同じ同期ソース識別子を持つカプセル化と、を含む請求項１に記載の方法。
【請求項８】
所定プロトコルに準じてカプセル化する前記ステップが、前記データセグメントを固定長のアプリケーションプロトコルパケットへとカプセル化することであって、前記アプリケーションプロトコルパケットヘッダが前記第一の情報、第二の情報、第三の情報及び第四の情報を含むカプセル化を含む請求項１に記載の方法。
【請求項９】
前記データセグメントの長さが、前記伝送待ち時間が所定の条件に合致するように選択される請求項１に記載の方法。
【請求項１０】
前記データセグメントの長さが、前記伝送待ち時間が所定の条件に合致するように、前記伝送待ち時間の実際の計測値に基づいて動的に変えられる請求項１に記載の方法。
【請求項１１】
前記伝送待ち時間及び待ち時間ジッタを低減する為の、現在の伝送のソース及びあて先に基づいたパケットネットワーク内の伝送経路及び転送ポリシーの調整を更に含む請求項１、５又は６に記載の方法。
【請求項１２】
前記パケットネットワークがサービス品質制御機構を有しており、前記方法が、前記ネットワークプロトコルパケットの前記サービス品質制御機構におけるサービス品質レベルを可能な限り高く設定することを更に含む請求項１に記載の方法。
【請求項１３】
前記ネットワークプロトコルパケットが、他のパケットよりも優先的に伝送される請求項１に記載の方法。
【請求項１４】
無線信号群の１つ以上のブランチを、集中基地局内においてチャネル処理ユニット及び遠隔無線周波数ユニット間で、又はパケットネットワークを介して基地局間で受信する方法であって、無線信号群の前記ブランチの各々がある無線フレーム周期を有する信号フローであり、前記方法が、
ネットワークを介して固定長のネットワークプロトコルパケットを受信するステップと、
固定長のアプリケーションプロトコルパケットと、１つ以上のブランチのうち、前記パケットが属する１つを識別する第五の情報を取得するために前記ネットワークプロトコルパケットをネットワーク伝送プロトコルに準じてパースするステップであって、前記第五の情報とネットワーク伝送ソースアドレス及びあて先アドレスが前記ブランチを一意に識別するステップと、
データセグメント、そして前記データセグメントが属するブランチの全データセグメントにおける、前記パケットの前記データセグメントのシーケンスを表す第一の情報、前記ブランチのロードタイプを表す第二の情報、前記パケットの前記データセグメントが無線フレーム周期の開始に対応するデータサンプルを含むか否かを表す第三の情報、及び前記第三の情報が無線フレーム周期の開始に対応するデータサンプルを含むことを表す場合に前記データセグメント中の前記データサンプルの位置を表す第四の情報を取得するために、前記アプリケーションプロトコルパケットを所定プロトコルに準じてパースするステップと、
前記同じブランチに属するデータセグメントを、前記第五の情報に基づいて元の無線信号へと回復するステップであって、前記データセグメントは前記第一の情報に基づいて順序付けられることによりデジタル信号データストリームが形成され、前記デジタル信号データストリームがロードタイプを表す前記第二の情報に基づいて無線信号フローへと再生され、ここで前記第三の情報が、データセグメントが無線フレーム周期の開始に対応するデータサンプルを含むことを表している場合、前記無線信号フローの再生時に前記データサンプルに対応する無線フレームタイミングが、前記第四の情報に表される位置に基づいて回復されるステップと、を含む方法。
【請求項１５】
前記ブランチの各々が、同じ機能ノード、同じセル、同じ搬送周波数、同じ無線インターフェース規格及びシステムに属する無線信号データストリームを含む請求項１４に記載の方法。
【請求項１６】
少なくとも１つのブランチが複数の並列チャネルの無線信号を含んでおり、前記少なくとも１つのブランチのサンプルデータが前記複数の並列チャネルの無線信号の同時サンプルデータであり、前記無線信号を回復するステップが、前記複数の並列チャネルの無線信号を同時に再生することを含む請求項１５に記載の方法。
【請求項１７】
ネットワーク伝送プロトコルに準じて前記ネットワークプロトコルパケットをパースする前記ステップが、
ＩＰｖ４又はＩＰｖ６プロトコルに準じて前記ネットワークプロトコルパケットを固定長のユーザーデータグラムプロトコル（ＵＤＰ）パケットへとパースすることと、
前記ＵＤＰパケットをＵＤＰプロトコルに準じて固定長のアプリケーションプロトコルパケットへとパースし、前記第五の情報を構成するソースポート番号及びあて先ポート番号を取得することと、を含む請求項１４に記載の方法。
【請求項１８】
ネットワーク伝送プロトコルに準じてネットワークプロトコルパケットをパースする前記ステップが、
ＭＰＬＳトンネルラベル及びＭＰＬＳ仮想回路ラベルをマルチプロトコルラベルスイッチ（ＭＰＬＳ）プロトコルに準じて処理することと、
前記ＭＰＬＳパケットを前記ＭＰＬＳプロトコルに準じてアプリケーションプロトコルパケットへとパースし、前記第五の情報としてＭＰＬＳ仮想回路ラベルを取得することと、を含む請求項１４に記載の方法。
【請求項１９】
ネットワーク伝送プロトコルに準じてネットワークプロトコルパケットをパースする前記ステップが、
ＩＰｖ４又はＩＰｖ６プロトコルに準じて前記ネットワークプロトコルパケットをＭＰＬＳパケットへとパースすることと、
ＭＰＬＳトンネルラベル及びＭＰＬＳ仮想回路ラベルをマルチプロトコルラベルスイッチ（ＭＰＬＳ）プロトコルに準じて処理することと、
前記ＭＰＬＳパケットを前記ＭＰＬＳプロトコルに準じてアプリケーションプロトコルパケットへとパースし、前記第五の情報としてＭＰＬＳ仮想回路ラベルを取得することと、を含む請求項１４に記載の方法。
【請求項２０】
所定プロトコルに準じてパースする前記ステップが、
固定長のＲＴＰパケットを、前記アプリケーションプロトコルパケットとして、リアルタイム伝送プロトコルＲＴＰに準じて固定長のデータパケットへとパースし、前記第一の情報、第二の情報及び第三の情報を取得することと、
前記固定長のデータパケットをデータセグメントへとパースし、前記第四の情報を取得することと、を含む請求項１４に記載の方法。
【請求項２１】
所定プロトコルに準じてパースする前記ステップが、前記固定長のアプリケーションプロトコルパケットをデータセグメントへとパースし、前記第一の情報、第二の情報、第三の情報及び第四の情報を取得することを含む請求項１４に記載の方法。
【請求項２２】
前記受信側が遠隔無線周波数ユニットである場合、周波数クロックを共通グローバルクロックから取得することを更に含む請求項１４に記載の方法。
【請求項２３】
前記共通グローバルクロックのソースがＧＰＳである請求項２２に記載の方法。
【請求項２４】
前記受信側が遠隔無線周波数ユニットである場合、前記デジタル信号データストリームに基づく適応型クロックリカバリ技術を用いて前記クロックを回復することを更に含む請求項１４に記載の方法。
【請求項２５】
前記適応型クロックリカバリ技術がＰＬＬである請求項２４に記載の方法。
【請求項２６】
前記無線フレームタイミングを回復するステップが、
前記第三の情報がデータセグメントが無線フレーム周期の開始に対応するデータサンプルを含むことを表す場合、前記データセグメントのサンプル長が前記第四の情報により表される位置値分減じられ、前記ダウンリンクサンプリング間隔により乗算されて前記データセグメントのパッキング待ち時間を取得することと、
前記無線信号フローの再生時に、前記データサンプルに対応する無線フレームタイミングを回復する場合に前記パッキング待ち時間に修正を実施することと、を更に含む請求項１４に記載に方法。
【請求項２７】
前記無線フレームタイミングの回復が、前記無線フレームタイミングの周期性を利用して平滑化処理を実施することを更に含む請求項２６に記載の方法。
【請求項２８】
集中基地局内におけるチャネル処理ユニットと遠隔無線周波数ユニット間の無線信号ブランチの往復伝送待ち時間を計測する方法であって、前記伝送が所定の送信方法及び受信方法に基づいており、
前記送信方法が、
前記無線信号群における各ブランチの無線信号のサンプルデータストリームを取得するステップと、
前記サンプルデータストリームを固定長の連続データセグメントへと分割するステップと、
前記データセグメントを所定プロトコルに準じてアプリケーションプロトコルパケット中にカプセル化するステップであって、各アプリケーションプロトコルパケットが、前記データセグメントが属する前記ブランチの全データセグメントにおける前記パケットの前記データセグメントのシーケンスを表す第一の情報と、前記ブランチのペイロードタイプを表す第二の情報と、前記パケットの前記データセグメントが無線フレーム周期の開始に対応するデータサンプルを含むか否かを表す第三の情報と、そして前記第三の情報が前記無線フレーム周期の開始に対応する前記データサンプルを含むことを表す場合に前記データセグメント中の前記データサンプルの位置を表す第四の情報とを更に含むステップと、
前記生成されたアプリケーションプロトコルパケットを、ネットワーク伝送プロトコルに準じてネットワークプロトコルパケットへとカプセル化してそれらを所定ターゲットへと伝送するステップであって、前記ネットワークプロトコルパケットが前記１つ以上のブランチのうち前記パケットが属する１つを識別する第五の情報を更に含み、前記第五の情報とネットワーク伝送ソースアドレス及びあて先アドレスが前記ブランチを一意に識別するものであるステップと、を含み、
前記受信方法が、
ネットワークを介して前記固定長のネットワークプロトコルパケットを受信するステップと、
前記ネットワークプロトコルパケットをネットワーク伝送プロトコルに準じてパースすることにより、固定長のアプリケーションプロトコルパケットと１つ以上のブランチのうち前記パケットが属する１つを識別する第五の情報を取得するステップであって、前記第五の情報、ネットワーク伝送ソースアドレス及びあて先アドレスが前記ブランチを一意に識別するものであるステップと、
前記アプリケーションプロトコルパケットを所定プロトコルに準じてパースすることにより、データセグメント、そして前記データセグメントが属するブランチの全データセグメントにおける前記パケットの前記データセグメントのシーケンスを表す第一の情報、前記ブランチのロードタイプを表す第二の情報、前記パケットの前記データセグメントが無線フレーム周期の開始に対応するデータサンプルを含むか否かを表す第三の情報、及び前記第三の情報が、無線フレーム周期の開始に対応するデータサンプルを含むことを表す場合に前記データセグメント中の前記データサンプルの位置を表す第四の情報とを取得するステップと、
前記同じブランチに属するデータセグメントを、前記第四の情報に基づいて元の無線信号へと回復するステップであって、前記データセグメントが前記第一の情報に基づいて順序付けられることによりデジタル信号データストリームが形成され、前記デジタル信号データストリームがロードタイプを表す前記第二の情報に基づいて無線信号フローへと再生され、ここで前記第三の情報がデータセグメントが無線フレーム周期の開始に対応するデータサンプルを含むことを表す場合に前記無線信号フローの再生時に前記データサンプルに対応する無線フレームタイミングが、前記第四の情報に表される位置に基づいて回復されるステップと、を含み、
前記計測する方法が、
第一のネットワークプロトコルパケットを前記チャネル処理ユニットにより前記遠隔無線周波数ユニットへと送信するステップであって、その中のデータセグメントが前記チャネル処理ユニット上の無線フレーム周期の開始に対応するデータサンプルを含むステップと、
前記遠隔無線周波数ユニットから伝送される第二のネットワークプロトコルパケットをチャネル処理ユニット上で受信するステップであって、その中のデータセグメントが前記遠隔無線周波数ユニット上の無線フレーム周期の開始に対応するデータサンプルを含み、前記無線フレーム周期が前記チャネル処理ユニット上の前記無線フレーム周期に対応するステップと、
前記送信ステップの開始から前記受信ステップの終了までの時間差を計算するステップと、
前記第一及び第二のネットワークプロトコルパケットのパッキング待ち時間をそれぞれに計算するステップであって、前記待ち時間が前記ネットワークプロトコルパケットの前記データセグメントの前記サンプル長から前記第四の情報により表される位置値分を減算し、対応するサンプリング間隔を乗算したものと等しいステップと、
前記２つのパッキング待ち時間を前記時間差から減算することにより、往復伝送待ち時間を取得するステップと、を含む方法。
【請求項２９】
前記往復伝送待ち時間が、前記チャネル処理ユニットから前記遠隔無線ユニットまでのダウンリンク伝送待ち時間を含み、前記ダウンリンク伝送待ち時間が、前記往復伝送待ち時間に所定の比例係数を乗算したものに等しい請求項２８に記載の方法。
【請求項３０】
前記所定の比例係数が０．５である請求項２９に記載の方法。
【請求項３１】
集中基地局において、遠隔無線周波数ユニットの無線フレームタイミングを、チャネル処理ユニット及び前記遠隔無線周波数ユニットとの間の無線信号ブランチ伝送を通じて調節する方法であって、前記伝送が所定の送信方法及び受信方法に基づくものであり、
前記送信方法が、
前記無線信号群における各ブランチの無線信号のサンプルデータストリームを取得するステップと、
前記サンプルデータストリームを固定長の連続データセグメントへと分割するステップと、
前記データセグメントを所定プロトコルに準じてアプリケーションプロトコルパケットへとカプセル化するステップであって、各アプリケーションプロトコルパケットが、前記データセグメントが属する前記ブランチの全データセグメント中における前記パケットの前記データセグメントのシーケンスを表す第一の情報と、前記ブランチのペイロードタイプを表す第二の情報と、前記パケットの前記データセグメントが無線フレーム周期の開始に対応するデータサンプルを含むか否かを表す第三の情報と、そして前記第三の情報が無線フレーム周期の開始に対応するデータサンプルを含むことを表す場合に前記データセグメント中の前記データサンプルの位置を表す第四の情報と、を更に含むステップと、
前記生成されたアプリケーションプロトコルパケットをネットワーク伝送プロトコルに準じてネットワークプロトコルパケットへとカプセル化してそれらを所定ターゲットへと伝送するステップであって、前記ネットワークプロトコルパケットが前記１つ以上のブランチのうち前記パケットが属する１つを識別する第五の情報を更に含み、前記第五の情報とネットワーク伝送ソースアドレス及びあて先アドレスが前記ブランチを一意に識別するステップと、を含み、
前記受信方法が、
ネットワークを介して前記固定長のネットワークプロトコルパケットを受信するステップと、
前記ネットワークプロトコルパケットをネットワーク伝送プロトコルに準じてパースすることにより固定長のアプリケーションプロトコルパケットと、１つ以上のブランチのうち前記パケットが属する１つを識別する第五の情報を取得するステップであって、前記第五の情報、ネットワーク伝送ソースアドレス及びあて先アドレスが前記ブランチを一意に識別するステップと、
前記アプリケーションプロトコルパケットを所定プロトコルに準じてパースすることにより、データセグメント、そして前記データセグメントが属するブランチの全データセグメントにおける前記パケットの前記データセグメントのシーケンスを表す第一の情報、前記ブランチのロードタイプを表す第二の情報、前記パケットの前記データセグメントが無線フレーム周期の開始に対応するデータサンプルを含むか否かを表す第三の情報、及び前記第三の情報が、無線フレーム周期の開始に対応するデータサンプルを含むことを表す場合、前記データセグメント中の前記データサンプルの位置を表す第四の情報を取得するステップと、
前記同じブランチに属するデータセグメントを、前記第四の情報に基づいて元の無線信号へと回復するステップであって、前記データセグメントが前記第一の情報に基づいて順序付けられることによりデジタル信号データストリームが形成され、前記デジタル信号データストリームがロードタイプを表す前記第二の情報に基づいて無線信号フローへと再生され、ここで前記第三の情報がデータセグメントが無線フレーム周期の開始に対応するデータサンプルを含むことを表す場合に前記無線信号フローの再生時に前記データサンプルに対応する無線フレームタイミングが前記第四の情報に表される位置に基づいて回復されるステップと、を含み、
前記調節する方法が、
第一のネットワークプロトコルパケットを前記チャネル処理ユニットにより前記遠隔無線周波数ユニットへと送信するステップであって、その中のデータセグメントが前記チャネル処理ユニット上の無線フレーム周期の開始に対応するデータサンプルを含むステップと、
前記遠隔無線周波数ユニットから伝送される第二のネットワークプロトコルパケットをチャネル処理ユニット上で受信するステップであって、その中のデータセグメントが前記遠隔無線周波数ユニット上の無線フレーム周期の開始に対応するデータサンプルを含み、前記無線フレーム周期が前記チャネル処理ユニット上の前記無線フレーム周期に対応するステップと、
前記送信ステップの開始から前記受信ステップの終了までの時間差を計算するステップと、
前記第一及び第二のネットワークプロトコルパケットのパッキング待ち時間をそれぞれ計算するステップであって、前記待ち時間が、前記ネットワークプロトコルパケットの前記データセグメントの前記サンプル長から前記第四の情報により表される位置値分を減算し、対応するサンプリング間隔を乗算したものと等しいステップと、
前記２つのパッキング待ち時間を前記時間差から減算して往復伝送待ち時間を取得するステップと、
前記往復伝送待ち時間に所定の比例係数を乗算してダウンリンク伝送待ち時間を取得するステップと、
前記ブランチの送信時間を前記無線フレームタイミングに対して前記ダウンリンク伝送待ち時間分進めるステップと、を含む方法。
【請求項３２】
前記所定の比例係数が０．５である請求項３１に記載の方法。
【請求項３３】
前記受信法における前記回復するステップが、
前記第三の情報がデータセグメントが無線フレーム周期の開始に対応するデータサンプルを含むことを表す場合に、前記データセグメントの前記サンプル長が前記第四の情報により表示される位置値分減算され、前記ダウンリンクサンプリング間隔で乗算されることにより前記データセグメントのパッキング待ち時間を取得することと、
前記無線信号フローの再生時に前記データサンプルに対応する無線フレームタイミングを回復する場合に、前記パッキング待ち時間に修正を実施することと、を更に含む請求項３１に記載の方法。
【請求項３４】
前記無線フレームタイミングの回復が、前記無線フレームタイミングの周期性を利用することにより平滑化処理を実施することを更に含む請求項３３に記載の方法。
【発明の詳細な説明】
【技術分野】
【０００１】
本発明は、移動通信システムにおける基地局技術に関し、より具体的には無線基地局システムにおける信号伝送方式及びシステムに関する。
【背景技術】
【０００２】
１．遠隔無線周波数ユニットによる集中基地局技術
図１Ａに示されるように、移動通信システムにおいては、無線アクセスネットワークは一般に基地局（ＢＴＳ）及びこれらの基地局を制御する為の基地局コントローラ（ＢＳＣ）又は無線ネットワークコントローラ（ＲＮＣ）から構成されている。図１Ｂに示されるように、１つの基地局は主にベースバンド処理サブシステム、無線周波数（ＲＦ）サブシステム、アンテナ等から構成されており、無線信号の送受信及び処理を実施するものである。基地局は複数のアンテナを介して異なるセルをカバーしている場合がある。
【０００３】
この移動通信システムには、例えば高層ビルの屋内カバレージ、カバレージホール、又はシャドウゾーンのカバレージといった、従来のＢＴＳ技術では解決が困難な無線ネットワークカバレージ問題がある。遠隔無線周波数ユニットによる技術は、上述の問題を解決する為に提案されたものであり、より効果的な解決策である。遠隔無線周波数ユニットによる基地局システムにおいては、カバレージを要する領域内にメイン無線周波数ユニット及びアンテナが設置され、広帯域伝送線を通じてその基地局の他のユニットと接続される。
【０００４】
この技術は、更に、遠隔無線周波数ユニットによる集中基地局技術に発展させることが出来る。従来の基地局と比較した場合、遠隔無線周波数ユニットによる集中基地局には以下の多数の利点がある。すなわち、従来基地局に基づく１つのマクロセルを複数のマイクロセルへと置き換えることが可能であり、これにより異なる無線環境に最適に対応し、システムの容量やカバレージ等の無線性能を増強することが出来る。中央集中化された構造によって、従来の基地局において、より穏やかな切り替わりによるソフトハンドオフの実施ができ、これにより更なる処理利得を得ることが出来る。中央集中化された構造により更に、高価なベースバンド信号処理リソースを複数セルにより共有するリソースプールとして利用することができるので、統計多重化及びシステムコストの削減という利益を得ることが出来る。特許文献１、特許文献２等に、この技術に関連する実施詳細が記載されている。
【０００５】
図２に示されるように、遠隔無線周波数ユニットによる集中基地局システム１０は、中央に設置された中央チャネル処理メインユニット（ＭＵ）１１及び遠隔無線周波数ユニット（ＲＲＵ）１３から構成されており、これらが広帯域伝送リンク、即ちネットワーク１２を介して接続されている。中央チャネル処理メインユニット１１内のＢＳＣ／ＲＮＣインターフェースユニット１４は、ＢＴＳ及びＢＳＣ／ＲＮＣインターフェースのユーザプレーン及びシグナリングプレーン処理を実施するという役割を持つ。中央チャネル処理メインユニット１１は更にチャネル処理リソースプール１５、信号ルーティング分配ユニット１６等をも備えており、チャネル処理リソースプール１５は複数のチャネル処理ユニット１〜Ｎを束にして構成されたものであり、ベースバンド信号処理のようなタスクを実施する。信号分配ユニット１６は異なるセルのトラヒックに応じて動的にチャネル処理リソースを割り当てることにより、複数セル間において処理リソースの効果的な共有を実現するものである。信号ルーティング分配ユニット１６は、図２に示したＭＵ内部への実装の他に、ＭＵ外部に別個のデバイスとして実現してもよい。遠隔アンテナ素子は主に、伝送チャネルの無線周波電力増幅器、受信チャネルの低ノイズ増幅器、デュプレクサ及びアンテナ等の機能ユニットにより構成される。中央チャネル処理サブシステム及び遠隔アンテナ素子間のリンクには、光ファイバ、同軸ケーブル、マイクロ波等のような伝送媒体を採用することが出来る。信号伝送は、サンプリング後のデジタル信号、又は変調後のアナログ信号という形式で実施することが出来る。信号はベースバンド信号、中間周波信号又は無線周波信号であってよい。
【０００６】
遠隔無線周波数ユニットによる上記二種類の基地局システムにおいては、ＲＲＵ及びＭＵ間において無線信号伝送を実現することが重要となる。通常、アナログ中間周波信号ソリューション、又はアナログ無線周波信号ソリューションが利用される。アナログ信号伝送を採用する方が簡単ではあるが、アナログ線は確実にノイズ等の干渉要素を取り込んでしまい、伝送中における信号変調も非線形ひずみを取り込んでしまう。更に、アナログ伝送は伝送線利用率を低下させ、大容量多重化技術アプリケーションにとっては不都合なものである。従ってアナログ伝送ソリューションで大規模ネットワークを構成することは困難である。
【０００７】
その為に、特許文献３、特許文献４等は、デジタル信号伝送を用いたソリューションを提案している。要求される伝送帯域幅を可能な限り小さくする為には、デジタルベースバンド信号伝送ソリューションを通常採用する。特許文献３のみが、光ファイバを用いることによりＲＲＵ及びメイン基地局間においてデジタルＩ／Ｑ（同相／直角位相）ベースバンド信号を伝送するという単純な方法を開示しており、これは即ち、デジタルＩ／Ｑベースバンド信号が、伝送側においてパラレル・シリアル変換を経てシリアルデータストリームとなり、光送信器を通じて受信側へと送信され、そして受信側において受信後にシリアル・パラレル変換を経ることによりデジタルＩ／Ｑベースバンド信号へと回復されるというものである。特許文献４では、イーサネットＭＡＣ（メディアアクセス制御）フレームを利用せずに、特別に定義された連続ビットストリームフォーマットを持つ伝送技術を利用して物理層上でイーサネットを使う技術を提案されている。現在、ＣＰＲＩ（Ｃｏｍｍｏｎ  Ｐｕｂｌｉｃ  Ｒａｄｉｏ  Ｉｎｔｅｒｆａｃｅ）という協力団体も、ＲＲＵ及びメイン基地局間におけるデジタルベースバンド伝送の標準化に向けて活動しており、この団体の技術規格はウェブサイト（http://cpri.info/spec.html）からダウンロードすることが出来る。この規格は特許文献４等に類似した技術を採用しており、物理インターフェースがギガイーサネット又は１０ＧＢイーサネット標準規格を、そして上位層が自己定義された連続ビットストリームフォーマットを採用しているものであるが、しかしＣＰＲＩはポイントツーポイントリンクしかサポートしていない。上記既存技術はトランスポート層技術において高度な伝送技術を利用することなく専用プロトコル規格を採用したものであることから、実際のシステム中で多くの潜在的な技術問題を検証しなければならず、技術開発及び製品開発サイクルが長くなり、ネットワーク構築コストが高くなってしまう。このことは大規模ネットワークのアプリケーションにとっては欠点であり、またオペレータの既存投資を守る上でも欠点となる。
【０００８】
２．無線基地局システムにおける負荷分散技術
中国特許庁に２００４年３月４日に出願された「無線基地局における負荷分散方式およびシステム（“Ｌｏａｄ−ｓｈａｒｉｎｇ  ｍｅｔｈｏｄ  ａｎｄ  ｓｙｓｔｅｍ  ｉｎ  ａ  ｗｉｒｅｌｅｓｓ  ｂａｓｅ  ｓｔａｔｉｏｎ”）」という名称の特許出願においては、同発明者が無線基地局間において負荷分散をチャネル処理する方法を提案しており、ここでは基地局が広帯域リンクで接続されて分散型無線基地局システムが構築され、一基地局が取り扱うセルのトラヒック量が過多となった場合、又は一部又は全てのチャネル処理ユニットが不具合を生じた場合、基地局間の広帯域リンクを介してその基地局が取り扱う一部又は全てのセルに対応する無線信号を、それに接続する１つ以上の他の遠隔側基地局へとルーティングする、即ち切り替えること、そしてその基地局の処理負荷の一部又は全てを他の遠隔側基地局に分散させることが可能であり、これにより不適切なリソースによる基地局システム全体の呼損を低減し、リソース利用率と基地局システム全体の信頼性を高めるというものである。
【０００９】
無線信号を基地局間で伝送する為の広帯域リンクは、上述した遠隔無線周波数ユニットによる基地局システムにおけるＲＲＵ及びＭＵ間のものと類似した特性を持っていることから、遠隔無線周波数ユニットによる基地局システムにおけるＲＲＵ及びＭＵ間の無線信号伝送技術もまた、負荷分散構造を持つ無線基地局間の無線信号伝送に適用することが出来るものである。
【００１０】
【特許文献１】米国特許第５，６５７，３７４号
【特許文献２】米国特許第６，３２４，３９１号
【特許文献３】中国特許出願第１，４６４，６６６号
【特許文献４】中国特許出願第１，４７１，３３１号
【発明の開示】
【発明が解決しようとする課題】
【００１１】
３．発明の起源
つまり、無線基地局システムにおけるＭＵ及びＲＲＵ間、そしてＢＴＳ間の無線信号伝送の必要性が存在する。しかしながら、従来技術には未だ幾つかの問題が存在しているが、一方ではＩＰ  ｏｖｅｒ  ＳＤＨ（Ｓｙｎｃｈｒｏｎｏｕｓ  ｄｉｇｉｔ  ｓｅｑｕｅｎｃｅ）、ＩＰ  ｏｖｅｒ  ＤＷＤＭ（高密度波長分割多重）等のワイドエリアネットワーク上で大容量ＩＰパケットを伝送する為の技術が成長しており、広く利用されている。ＩＥＥＥ８０２．３ａｂギガイーサネット（ＧＥ）、ＩＥＥＥ８０２．３ａｅ１０ギガイーサネット（１０ＧＥ）等の広帯域技術が開発されるに従い、ローカルエリアネットワーク（ＬＡＮ）の範囲においては従来の遠隔通信伝送ネットワークよりも高速で広帯域、そしてより安価なパケット交換ネットワークを構築することが可能となった。更には、ＳＤＨ、ＤＷＤＭ及びＣＷＤＭ（低密度波長分割多重）のような、イーサネットＭＡＣフレームを広帯域伝送ネットワーク上で直接的に搬送する為の技術、そして直接伝送ＳＤＨの１０ＧＥ〜ＶＣ−４−６４ｃコンテナにおけるオプショナルワイドエリアネットワーク（ＷＡＮ）インターフェースサブレイヤーのサポートにより、イーサネットに基づく広帯域パケット交換ネットワークはローカルエリアネットワークアプリケーションからワイドエリアネットワークへと広がった。
【００１２】
従って、遠隔無線周波数ユニットに基づく基地局システムにおけるＲＲＵ及びＭＵ間のデジタル無線信号を、比較的低コストかつ既存技術との互換性を持つ広帯域パケット交換ネットワークを用いて伝送することが出来れば、より低コストで高速、柔軟な大規模ネットワーク構築アプリケーションを実現する上で有益である。この為に本発明は、無線基地局システムにおける無線信号のパケット伝送法（Ｒａｄｉｏ  ｏｖｅｒ  Ｐａｃｋｅｔ）を提供するものである。
【００１３】
本発明の目的は、無線信号の１つ以上のブランチを、集中基地局内においてチャネル処理ユニット及び遠隔無線周波数ユニット間で、又はパケットネットワークを介して基地局間で送信又は受信する為の方法を提供することにより、信号処理ユニット及び遠隔無線周波数ユニットを、パケットネットワークを通じて接続することが出来るようにすることにある。
【００１４】
本発明の他の目的は、集中基地局におけるチャネル処理ユニット及び遠隔無線周波数ユニット間の無線信号ブランチの往復伝送待ち時間を計測する方法を提供することにより、システム性能の計測及び調節を助長することにある。
【００１５】
本発明の他の目的は、集中基地局において、チャネル処理ユニット及び遠隔無線周波数ユニット間の無線信号ブランチ伝送を通じて遠隔無線周波数ユニットの無線フレームタイミングを調節する為の方法を提供することにより、無線周波数ユニットの無線フレームタイミングをチャネル処理ユニットと同期させることである。
【課題を解決するための手段】
【００１６】
本発明の一態様によれば、無線信号の１つ以上のブランチを、集中基地局内においてチャネル処理ユニット及び遠隔無線周波数ユニット間で、又はパケットネットワークを介して基地局間で伝送する方法が提供されるものであり、前記無線信号のブランチの各々が無線フレーム周期を持つ信号フローであり、方法は、前記無線信号中の各ブランチの無線信号のサンプルデータストリームを取得するステップと、前記サンプルデータストリームを固定長の連続データセグメントへと分割するステップと、前記データセグメントを所定プロトコルに準じてアプリケーションプロトコルパケットへとカプセル化するステップであって、各アプリケーションプロトコルパケットが、そのデータセグメントが属するブランチの全データセグメントにおける、そのパケットのデータセグメントのシーケンスを表す第一の情報と、そのブランチのペイロードタイプを表す第二の情報と、パケットのそのデータセグメントが無線フレーム周期の開始に対応するデータサンプルを含むか否かを表す第三の情報と、第三の情報が無線フレーム周期の開始に対応するデータサンプルを含むことを表す場合にそのデータサンプルのデータセグメント中の位置を表す第四の情報を更に含むステップと、生成されたアプリケーションプロトコルパケットをネットワーク伝送プロトコルに準じてネットワークプロトコルパケットへとカプセル化してそれらを所定のあて先へと伝送するステップであって、ネットワークプロトコルパケットが前記１つ以上のブランチのうちの、そのパケットが属する１つを識別する第五の情報を含み、前記第五の情報及びネットワーク伝送ソースアドレス及びあて先アドレスがそのブランチを一意に識別するステップとを含んでいる。
【００１７】
一実施例によれば、前記ブランチの各々は同じ機能ノード、同じセル、同じ搬送周波数、同じ無線インターフェース規格及びシステムに属する無線信号データストリームを含んでいる。
【００１８】
他の実施例によれば、少なくとも１つのブランチは、複数の並列チャネルの無線信号を含んでおり、この少なくとも１つのブランチのサンプルデータはその複数の並列チャネルの無線信号の同時サンプルデータである。
【００１９】
他の実施例によれば、ネットワーク伝送プロトコルに準じてネットワークプロトコルパケットへとカプセル化するというステップは、アプリケーションプロトコルパケットを、ユーザーデータグラムプロトコル（ＵＤＰ）に準じて固定長のＵＤＰパケットへとカプセル化するステップであって、このＵＤＰパケットヘッダが第五の情報を構成するソースポート番号及びあて先ポート番号を含むステップと、そしてＵＤＰパケットをＩＰｖ４又はＩＰｖ６プロトコルに基づいてネットワークプロトコルパケットへとカプセル化するステップとを含む。
【００２０】
他の実施例によれば、ネットワーク伝送プロトコルに準じてネットワークプロトコルパケットへとカプセル化するというステップは、アプリケーションプロトコルパケットを、マルチプロトコルラベルスイッチ（ＭＰＬＳ）プロトコルに準じて固定長のＭＰＬＳパケットへとカプセル化するステップであって、ＭＰＬＳ仮想回路ラベルが前記第五の情報として作用し、ＭＰＬＳトンネルラベルがネットワーク伝送ソースアドレス及びあて先アドレス間の接続を識別するように作用するステップを含む。
【００２１】
他の実施例によれば、ネットワーク伝送プロトコルに準じてネットワークプロトコルパケットへとカプセル化するステップは、アプリケーションプロトコルパケットを、マルチプロトコルラベルスイッチ（ＭＰＬＳ）プロトコルに準じて固定長のＭＰＬＳパケットへとカプセル化するステップであって、ＭＰＬＳ仮想回路ラベルが前記第五の情報として作用し、ＭＰＬＳトンネルラベルがネットワーク伝送ソースアドレス及びあて先アドレス間の接続を識別するように作用するステップと、そしてＭＰＬＳパケットをＩＰｖ４又はＩＰｖ６プロトコルに基づいてネットワークプロトコルパケットへとカプセル化するステップとを含む。
【００２２】
他の実施例によれば、所定プロトコルに準じてカプセル化するというステップは、データセグメントを固定長のデータパケットへとカプセル化するステップであって、データパケットヘッダが前記第四の情報を含むステップと、そしてデータパケットを、アプリケーションプロトコルパケットとしてリアルタイム伝送プロトコル（ＲＴＰ）に準じて固定長のＲＴＰパケットへとカプセル化するステップであって、ＲＴＰパケットヘッダが前記第一の情報、第二の情報及び第三の情報を含み、同じブランチに属するＲＴＰパケットが同じ同期ソース識別子を持つステップとを含む。
【００２３】
他の実施例によれば、所定プロトコルに準じてカプセル化するというステップは、データセグメントを固定長のアプリケーションプロトコルパケットへとカプセル化するステップであって、アプリケーションプロトコルパケットヘッダが前記第一の情報、第二の情報、第三の情報及び第四の情報を含むステップを含む。
【００２４】
他の実施例によれば、データセグメントの長さは、伝送待ち時間が所定の条件に適合することになるように選択される。
【００２５】
他の実施例によれば、データセグメントの長さは、伝送待ち時間が所定の条件に適合することになるように、伝送待ち時間の実際の測定値に基づいて動的に変更される。
【００２６】
他の実施例によれば、前記方法は、現在の通信のソース及びあて先に応じてパケットネットワークにおける伝送経路及び転送ポリシーを調節することにより伝送待ち時間及び待ち時間ジッタを低減するステップを更に含む。
【００２７】
他の実施例によれば、前記パケットネットワークはサービス品質制御機構を含み、前記方法は、前記サービス品質制御機構において前記ネットワークプロトコルパケットのサービス品質レベルを可能な限り高く設定するステップを更に含む。
【００２８】
他の実施例によれば、前記ネットワークプロトコルパケットは、他のパケットよりも優先して伝送される。
【００２９】
本発明の他の態様によれば、基地局間で無線信号の１つ以上のブランチを、集中基地局内においてチャネル処理ユニット及び遠隔無線周波数ユニット間で、又はパケットネットワークを介して受信する為の方法が提供されるものであり、前記無線信号のブランチの各々は無線フレーム周期を持つ信号フローであり、前記方法は、固定長のネットワークプロトコルパケットを、ネットワークを介して受信するステップと、ネットワークプロトコルパケットをネットワーク伝送プロトコルに準じてパースすることにより固定長のアプリケーションプロトコルパケットと、前記１つ以上のブランチのうち、そのパケットが属する１つを識別する第五の情報とを取得するステップであって、前記第五の情報及びネットワーク伝送ソースアドレス及びあて先アドレスが、それらのブランチを一意に識別するものであるステップと、アプリケーションプロトコルパケットを、所定のプロトコルに準じてパースすることにより、データセグメント、そしてそのデータセグメントが属するブランチの全データセグメントにおける、そのパケットのデータセグメントのシーケンスを表す第一の情報、ブランチのロードタイプを表す第二の情報、パケットのそのデータセグメントが無線フレーム周期の開始に対応するデータサンプルを含んでいるか否かを表す第三の情報、及びその第三の情報が無線フレーム周期の開始に対応するデータサンプルを含むことを表す場合にデータセグメント中のそのデータサンプル位置を表す第四の情報を取得するステップと、第四の情報に基づき、同じブランチに属するデータセグメントを元の無線信号として回復するステップであって、データセグメントが第一の情報に基づいて順序付けされてデジタル信号データストリームが形成されるステップと、ロードタイプを表す第二の情報に基づいてデジタル信号データストリームを無線信号フローへと再生するステップであって、データセグメントが無線フレーム周期の開始に対応するデータサンプルを含むことを第三の情報が表す場合、無線信号フローが再生される時点でそのデータサンプルに対応する無線フレームタイミングが第四の情報により表される位置に基づいて回復される。
【００３０】
他の実施例によれば、少なくとも１つのブランチは複数の並列チャネルの無線信号を含み、少なくとも１つのブランチのサンプルデータは、その複数の並列チャネルの無線信号の同時サンプルデータであり、無線信号を回復する前記ステップが、その複数の並列チャネルの無線信号を、同じ無線フレームタイミングに基づいて同時に再生することを含む。
【００３１】
他の実施例によれば、ネットワークプロトコルパケットをネットワーク伝送プロトコルに準じてパースする前記ステップが、ネットワークプロトコルパケットを、ＩＰｖ４又はＩＰｖ６プロトコルに準じて固定長のユーザーデータグラムプロトコル（ＵＤＰ）パケットへとパースするステップと、そしてＵＤＰパケットを、ＵＤＰプロトコルに準じて固定長のアプリケーションプロトコルパケットへとパースするステップとを含む。
【００３２】
他の実施例によれば、ネットワークプロトコルパケットをネットワーク伝送プロトコルに準じてパースする前記ステップが、ＭＰＬＳトンネルラベル及びＭＰＬＳ仮想回路ラベルをマルチプロトコルラベルスイッチ（ＭＰＬＳ）プロトコルに準じて処理するステップと、ＭＰＬＳパケットをＭＰＬＳプロトコルに準じてアプリケーションプロトコルパケットへとパースし、ＭＰＬＳ仮想回路ラベルを前記第五の情報として取得するステップとを含む。
【００３３】
他の実施例によれば、ネットワークプロトコルパケットをネットワーク伝送プロトコルに準じてパースする前記ステップが、ネットワークプロトコルパケットをＩＰｖ４又はＩＰｖ６プロトコルに準じてＭＰＬＳパケットへとパースするステップと、ＭＰＬＳトンネルラベル及びＭＰＬＳ仮想回路ラベルをマルチプロトコルラベルスイッチ（ＭＰＬＳ）プロトコルに準じて処理するステップと、そしてＭＰＬＳパケットをＭＰＬＳプロトコルに準じてアプリケーションプロトコルパケットへとパースし、ＭＰＬＳ仮想回路ラベルを前記第五の情報として取得するステップとを含む。
【００３４】
他の実施例によれば、所定のプロトコルに準じてパースする前記ステップが、固定長のＲＴＰパケットをアプリケーションプロトコルパケットとしてリアルタイム伝送プロトコル（ＲＴＰ）に準じて固定長のデータパケットへとパースし、前記第一の情報、第二の情報及び第三の情報を取得するステップと、そして固定長のデータパケットをデータセグメントへとパースし、前記第四の情報を取得するステップとを含む。
【００３５】
他の実施例によれば、所定のプロトコルに準じてパースする前記ステップが、固定長のアプリケーションプロトコルパケットをデータセグメントへとパースし、前記第一の情報、第二の情報、第三の情報及び第四の情報を取得するステップを含む。
【００３６】
他の実施例によれば、受信側が遠隔無線周波数ユニットであった場合、前記方法は共通グローバルクロックから基準クロックを取得することを更に含む。
【００３７】
他の実施例によれば、前記共通グローバルクロックのソースはＧＰＳである。
【００３８】
他の実施例によれば、受信側が遠隔無線周波数ユニットであった場合、前記方法はデジタル信号データストリームに基づいて適応型クロックリカバリ技術を使うことによりクロックを回復することを更に含む。
【００３９】
他の実施例によれば、前記適応型クロックリカバリ技術とはＰＬＬである。
【００４０】
他の実施例によれば、前記回復するステップが、データセグメントが無線フレーム周期の開始に対応するデータサンプルを含むことを第三の情報が表した場合、データセグメントのサンプル長が、第四の情報により表される位置値分減算され、ダウンリンクサンプリング間隔で乗算され、そのデータセグメントのパッキング待ち時間が取得されるステップと、そして無線信号フローが再生される時にそのデータサンプルに対応する無線フレームタイミングが回復されると、パッキング待ち時間に修正が実施されるステップとを更に含む。
【００４１】
他の実施例によれば、無線フレームタイミングを回復する前記ステップが、無線フレームタイミングの周期性を用いて平滑化処理を実施するステップを更に含む。
【００４２】
本発明の他の態様によれば、無線信号ブランチの、集中基地局におけるチャネル処理ユニット及び遠隔無線周波数ユニット間の伝送待ち時間を計測する為の方法が提供されるものであり、前記伝送が上述した伝送及び受信方法に基づくものであり、前記計測する為の方法が、チャネル処理ユニットにより第一のネットワークプロトコルパケットを遠隔無線周波数ユニットへと伝送するステップであって、その中のデータセグメントがチャネル処理ユニット上の無線フレーム周期の開始に対応するデータサンプルを含んでいるステップと、遠隔無線周波数ユニットから伝送される第二のネットワークプロトコルパケットをチャネル処理ユニットで受信するステップであって、その中のデータセグメントが遠隔無線周波数ユニット上の無線フレーム周期の開始に対応するデータサンプルを含んでおり、その無線フレーム周期が前記チャネル処理ユニット上の無線フレーム周期に対応するものであるステップと、上記伝送するステップの開始から上記受信するステップの終了までの時間の差を計算するステップと、前記第一及び第二のネットワークプロトコルパケットのパッキング待ち時間をそれぞれに計算するステップであって、その待ち時間が、第四の情報に表される位置値を減算し、対応するサンプリング間隔で乗算したネットワークプロトコルパケット中のデータセグメントのサンプル長に等しいステップと、前記二つのパッキング待ち時間を前記時間の差から減算して往復伝送待ち時間を取得するステップとを含む。
【００４３】
一実施例によれば、前記往復伝送待ち時間はチャネル処理ユニットから遠隔無線周波数ユニットまでのダウンリンク伝送待ち時間を含み、このダウンリンク伝送待ち時間は所定の比例係数により乗算された前記往復伝送待ち時間に等しい。
【００４４】
他の実施例によれば、前記所定の比例係数とは０．５である。
【００４５】
本発明の他の態様によれば、集中基地局において、遠隔無線周波数ユニットの無線フレームタイミングを、チャネル処理ユニット及び無線周波数ユニット間における無線信号ブランチ伝送を通じて調節する為の方法が提供されるものであり、前記伝送が上述した送信法及び受信法に基づくものであり、前記調節法は、上述した計測法により往復伝送待ち時間を取得するステップと、前記往復伝送待ち時間を、所定の比例係数により乗算し、ダウンリンク伝送待ち時間を取得するステップと、そしてそのブランチの伝送時間を、無線フレームタイミングに対し、前記ダウンリンク伝送待ち時間に等しい時間量だけ進めるステップとを含む。
【００４６】
本発明の上述及び他の態様、特徴及び／又は利点は、添付図を参照しつつ以下の説明を読むことにより更に明らかとなる。
【発明を実施するための最良の形態】
【００４７】
図１３ａは、本発明の一実施例に基づく無線信号パケット送信システム２０を説明する為の概略ブロック図である。システム２０はアプリケーションプロトコル送信処理部２７と、ネットワークプロトコル送信処理部２８、及び送信スケジューリングユニット２６を含む。
【００４８】
同じ機能ノード（遠隔無線周波数ユニットに基づく基地局システム中のＲＲＵ、遠隔無線周波数ユニットに基づく基地局システム中のＭＵ、負荷分散構造に基づく無線基地局等を含む）中の異なるセルの無線信号、搬送周波数及び無線インターフェース規格は、それぞれ異なる送信ブランチに対応し、ここで各ブランチは、単一又は複数並列チャネルの無線信号（代表的には多重アンテナシステムにおけるそれぞれのアンテナ信号）のサンプルデータストリーム（代表的にはＩ／Ｑサンプルデータストリーム等）を伝送する役割を担っている。
【００４９】
図１４ａのフローチャートはシステム２０の送信処理を示している。システム２０の送信処理についての説明は、以下においては１つのブランチに関するものとする。実際には、システム２０は１つ以上のブランチの無線信号を同時に処理する場合がある。
【００５０】
ステップＳ１０においては、システム２０はある伝送ブランチのＩ／Ｑサンプルデータストリームを受ける。
【００５１】
次にステップＳ１２において、Ｉ／Ｑサンプルデータストリームは、アプリケーションプロトコル送信処理部２７によりアプリケーションプロトコルパケットへと処理される。
【００５２】
一実施例においては、アプリケーションプロトコル送信処理部２７は、Ｉ／Ｑデータセグメント化ユニット２１、ペイロードカプセル化ユニット２２及びＲＴＰカプセル化ユニット２３を含む。
【００５３】
Ｉ／Ｑデータセグメント化ユニット２１は、Ｉ／Ｑサンプルデータストリームにセグメント化処理を実施してＩ／Ｑデータペイロード部を形成する。１つのＩ／Ｑデータペイロード部は、Ｉ／Ｑベースバンド無線信号データストリームの１セグメントに対応する。図１０は、２アンテナシステムにおけるＩ／Ｑデータペイロード部のフォーマットを示すものであり、ここでＩｊ，ｋ，ｌとは、ｊ番目のアンテナのＩ／Ｑベースバンド信号同相成分のｋ番目のサンプリングポイントのｌ番目のビットのことであり、Ｑｊ，ｋ，ｌとは、ｊ番目のアンテナのＩ／Ｑベースバンド信号直交成分のｋ番目のサンプリングポイントのｌ番目のビットのことであり、Ｗはサンプリングビット幅で、その代表的な値は４〜２０である。図からわかるように、Ｉ／Ｑデータペイロード部は、サンプリング時間で昇順に配列されている。多重アンテナ技術を利用する場合、それぞれのアンテナからのＩ／Ｑベースバンド信号は同じサンプリング時間で順番に配列されるもので、ここではそれぞれのアンテナのＩ／Ｑベースバンド信号のサンプリング値の配列順序は、アンテナアレイ、又はアンテナグループの空間位置配列順序と同じであり、同じアンテナのＩ／Ｑベースバンド信号のサンプリング値は、直交成分のサンプリング値及び同相成分のサンプリング値の順序に配列される。従って、アンテナの数がＤであり、Ｉ／Ｑデータペイロードカプセル化のサンプリングポイントの数がＳであった場合、１サンプリングポイントは２ＷＤビットに相当し、１パケットのＩ／Ｑデータペイロードの総ビット数Ｎは次のようになる。
【００５４】
【数１】
2008506322.tif 000003
【００５５】
特定のシステムの場合、アンテナ数Ｄ及びサンプリングビット幅Ｗは特定されており、１パケット中のＩ／Ｑデータペイロードのサンプリングポイント数Ｓは無線信号データストリームを搬送する各パケットの長さに依存する。無線信号データストリームを搬送する為のパケット長がＬバイトであった場合、そしてＩ／Ｑデータペイロード以外のヘッダオーバーヘッドがＨバイトであった場合、そのＩ／Ｑデータペイロードのサンプリングポイント数Ｓは以下のように表される。
【００５６】
【数２】
2008506322.tif 000004
【００５７】
ここでパケット長Ｌは、上記式の右側部分が整数となるように選択されることにより、Ｉ／Ｑデータペイロード部がパディングビットのないバイトで揃えられるのである。
【００５８】
次にペイロードカプセル化ユニット２２はＩ／Ｑデータペイロード部をカプセル化し、ここでペイロードヘッダが生成される。ＲＴＰカプセル化ユニット２３は更なるカプセル化を実施し、ここでＲＴＰヘッダが生成される。
【００５９】
ペイロードカプセル化及びＲＴＰカプセル化は、異なる方法で実施することが出来る。
【００６０】
例えば、現在の実施例においては、ペイロードヘッダ及びＲＴＰヘッダは、それぞれに（例えば異なる層で）生成される。ペイロードヘッダは当該技術において既知のコンテンツ以外にも、ポインタフィールド及びオプションの同期外れリンク表示ビット（Ｒ）を更に含んでいる。同期外れリンク表示ビットは、このパケットが同期外れであることをピアエンドに通知する為に使われるもので、例えば、正常受信の場合にＲ＝０となり、ピアエンドの搬送する無線信号データストリームとの同期が崩れた場合にＲ＝１となる。受信側において、所定数のパケットの喪失が連続して発生した場合、それらのパケットは同期外れであると判断される。この時、受信側はパケットの同期外れが発生したことを、逆リンクのペイロードヘッダのリンク同期外れ表示ビットを通じてピアエンドへと通知し、ピアエンドがリンクの再初期化等の処理を実施することで、受信側がパケット同期を再度得られるようにする。ポインタフィールドは、無線フレームと往復伝送待ち時間（ＲＴＴ）の計測との同期を得る為に利用されるもので、これについては後に詳細を説明する。
【００６１】
ＲＴＰヘッダの構造は、図７の通りである。ＲＴＰ層のＲａｄｉｏ  Ｏｖｅｒ  Ｐａｃｋｅｔ（無線信号のパケット伝送）における主な機能は、リアルタイム無線信号データストリームを搬送することである。上述したように、同じ機能ノード中における異なるセル、異なる搬送周波数、異なる無線インターフェース規格及びシステムの無線信号データストリームは、異なるブランチにより区別されなければならない。しかしながら、同じ機能ノード中における同じセル、同じ搬送周波数、同じ無線インターフェース規格及びシステムの無線信号データストリームであっても、複数の並列チャネルからの無線信号で構成される場合があり、代表的な例には多重アンテナ技術のアプリケーションがある。実際の無線基地局システムにおいて、代表的には送信ダイバーシチ、受信ダイバーシチ、多重アンテナ送受信（ＭＩＭＯ）及びスマートアンテナ又はアレイアンテナ等のような多重アンテナ技術は、無線性能を強化する為に益々採用が広がっている。多重アンテナ技術を採用したこれらの無線基地局システムにおいては、アンテナ信号間に厳密な時間及び位相関係があり、送信処理におけるアンテナ信号の伝送待ち時間は厳密に等しくなければならない。よって多重アンテナ技術の場合、同じアンテナグループ又はアレイの全アンテナに対応する、同じ機能ノードにおける同じセル、同じ搬送周波数、同じ無線インターフェース規格及びシステムの中の無線信号データストリームは、同じＲＴＰストリーム上で搬送することが出来る。
【００６２】
図７に示したＲＴＰヘッダのフィールドの基本的な定義は、ＩＥＴＦ仕様“ＲＦＣ１８８９，ＲＴＰ：リアルタイムアプリケーションのためのトランスポートプロトコル（Ａ  Ｔｒａｎｓｐｏｒｔ  Ｐｒｏｔｏｃｏｌ  ｆｏｒ  Ｒｅａｌ−Ｔｉｍｅ  Ａｐｐｌｉｃａｔｉｏｎｓ）”に準拠したものであり、本実施例における具体的な用法は以下の通りである。
【００６３】
Ｖ（バージョン番号）：現在のＲＴＰバージョン番号で２と設定される。
【００６４】
Ｐ（パディング表示ビット）：例えばパディングが無い等の場合、０と設定される。
【００６５】
Ｘ（ヘッダ拡張表示ビット）：例えばヘッダ拡張が無い場合、０と設定される。
【００６６】
ＣＣ（ＣＳＲＣカウント）：例えばＣＳＲＣ（貢献ソース）が無い場合、０と設定される。
【００６７】
Ｍ（識別ビット）：このビット及びペイロードヘッダのポインタフィールドは共に、後に詳細を説明する無線フレームの同期及び往復伝送待ち時間（ＲＴＴ）の計測用に利用される。
【００６８】
ＰＴ（ペイロードタイプ）：このフィールドは異なるペイロードフォーマットを表示するもので、ペイロードフォーマットに影響を与える因子としては、サンプリングレート、サンプリング値のビット幅及び並列チャネル数（アンテナ数）が含まれる。サンプリングレートはコードセルの倍数又は対応する無線インターフェースの物理チャネルのシンボルレートであり、その代表的な値は１〜８である。例えば、ＣＤＭＡ（符号分割多重接続）システムにおいては、サンプリングレートはチップレートの倍数となり、ＴＤＭＡ（時分割多重接続）システムにおいては、サンプリングレートはシンボルレートの倍数となる。サンプリング値ビット幅は採用されたＡＤＣ／ＤＡＣ（アナログ−デジタル変換／デジタル−アナログ変換）のビット数に対応し、代表的な値は４〜２０である。並列チャネル数はアンテナの数であり、代表的な値は１〜１６である。ＰＴフィールドには７ビットしか無く、最大で１２８種類のペイロードフォーマットしか表示できない為、特定の無線基地局システムの場合、その特定のケースに応じて更なる定義を作らなければならない。
【００６９】
シーケンス番号：ＩＰ／ＵＤＰ層はパケットの連続伝送を管理していない為、受信側により、パケット喪失の検出及びパケットシーケンス回復の為にシーケンス番号が利用される。その具体的な用法は、ＩＥＴＦ仕様書ＲＦＣ１８８９の関連箇所に準拠するものである。
【００７０】
タイムスタンプ：タイムスタンプはペイロード部の第一のサンプリング値のサンプリング時間を表示するものである（ペイロードが、例えば複数アンテナの無線信号である等、複数の並列チャネルで構成されている場合、並列チャネルは全て同期してサンプリングされることから、アンテナ信号のサンプリング時間は同じである）。上述したように、サンプリングレートはコードセルの倍数、又は対応する無線インターフェースの物理チャネルのシンボルレートである。無線信号のパケット伝送（Ｒａｄｉｏ  Ｏｖｅｒ  Ｐａｃｋｅｔ）のアプリケーションにおいては、待ち時間ジッタの計測にはタイムスタンプを利用することが出来る。タイムスタンプの利用法は、ＩＥＴＦ仕様書ＲＦＣ１８８９の関連箇所に準拠するものである。
【００７１】
ＳＳＲＣ（同期ソース識別）：ＲＦＣ１８８９の関連仕様によれば、ＲＴＰセッション（例えばＩＰアドレス及びＵＤＰポートの組み合わせのような、トランスポート層アドレスにより識別される）は、異なるソースからの複数のＲＴＰストリームを含む場合があり、ここでは各ＲＴＰストリームは異なるＳＳＲＣ値により識別され、独立したＳＳＲＣ値及びシーケンス番号空間を持つ。本発明においては、異なるセル（セクタを持つ）、異なる搬送周波数及び異なる無線インターフェース規格及びシステムのアップリンク及びダウンリンク無線信号は、異なるトランスポート層アドレスを採用している為、各セッションは、１つのＲＴＰストリーム（例えば、たった１つの同期ソース）しか持たない。
【００７２】
ＲＴＣＰ（ＲＴＰ制御プロトコル）はオプションであり、無線信号のパケット伝送（Ｒａｄｉｏ  Ｏｖｅｒ  Ｐａｃｋｅｔ）アプリケーションにおいては、パケット喪失率や待ち時間ジッタ、往復伝送待ち時間（ＲＴＴ）といった、伝送品質に関するフィードバック情報を提供する為に利用することが出来る。関連する用法はＩＥＴＦ仕様書“ＲＦＣ１８８９，ＲＴＰ：リアルタイムアプリケーションのためのトランスポートプロトコル（Ａ  Ｔｒａｎｓｐｏｒｔ  Ｐｒｏｔｏｃｏｌ  ｆｏｒ  Ｒｅａｌ−Ｔｉｍｅ  Ａｐｐｌｉｃａｔｉｏｎ）”に準拠するものである。
【００７３】
本実施例におけるペイロードカプセル化及びＲＴＰカプセル化下位層の、無線信号ネットワーク（例えばＩＰ）送信カプセル化構造は図３ａに示した通りである。
【００７４】
上述した例のＲＴＰヘッダ及びペイロードヘッダの場合、ペイロードタイプ、パケットシーケンス番号、無線信号パケット伝送リンク同期外れ表示（オプション）、無線フレーム同期表示及び対応無線フレーム開始位置ポインタに関わる情報が、本発明の目的に関わるものであり、他のフィールドは本発明の範囲には関わりがない。加えて、上述した特定のフォーマット及び値は、例示したに過ぎず、本発明を制約するものではない。当業者であれば、本願の説明に基づく他のフォーマット及び限界値を得ることが出来るであろう。
【００７５】
他の実施例においては、図９に示される推奨ペイロードヘッダ構造が採用されており、ここではペイロードヘッダが識別ビット（Ｍ）、シーケンス番号、ペイロードタイプ（ＰＴ）等のＲＴＰヘッダと同じ機能を持つ重要なフィールドを提供しており、これによってＲＴＰ層ではなく、アプリケーションプロトコルの下位のプロトコル（例えばネットワークプロトコル）を利用して無線信号データストリームが直接的に搬送されており、ＲＴＰ層の処理オーバーヘッド及びＲＴＰヘッダの伝送帯域オーバーヘッドが低減されている。無線信号データストリームを、ＲＴＰ層以外の例えばネットワークプロトコルにより直接的に搬送する為の、無線信号ネットワーク（例えばＩＰ）送信カプセル化構造体は、図３ｂに示される通りである。実際のところ、各無線信号データストリームは１つの同期ソースしか持っていないことから、ＲＴＰ層を使用しない場合、同期ソース識別フィールドは必要とされない。無線信号は等しい間隔でサンプリングされ、サンプリングの順番に伝送されることから、搬送される無線信号データストリーム各々のネットワークプロトコルパケット（例えばＩＰパケット）は等しい長さを持ち、従ってＲＴＰ層を使用しない場合、タイムスタンプフィールドは必要とされない。この場合、ＲＴＰカプセル化ユニットは省かれ、ＲＴＰプロトコルの主要機能はペイロードカプセル化ユニット２３へと統合化される。
【００７６】
図９に示したように、ＲＴＰヘッダと同じ機能を持つ識別ビット、シーケンス番号及びペイロードタイプのフィールドを提供するという他に、ペイロードヘッダ中にはリンク同期外れ表示ビット（Ｒ）及びポインタフィールドが定義されている。リンク同期外れ表示ビットは、パケットが同期外れを生じていることをピアエンドに通知する（例えば通常受信の場合にＲ＝０、そのピアエンドが搬送する無線信号データストリームパケットとの同期が崩れた場合にＲ＝１）為に利用される。所定数のパケット喪失が連続して生じた場合、それらのパケットは同期外れを生じたものと判断される。この時、受信側はピアエンドへとパケット同期外れの発生を、逆リンクのペイロードヘッダのリンク同期外れ表示ビットにより通知しなければならず、するとピアエンドは受信側にパケット同期を再度取らせる為にリンクの再初期化等を実施することが出来る。ポインタフィールド及び識別ビット（Ｍ）は共に、後により詳細を説明する無線フレームの同期及び往復伝送待ち時間（ＲＴＴ）の計測に利用される。
【００７７】
図１４ａに戻るが、ステップＳ１４においては、ネットワークプロトコル送信処理部２８がアプリケーションプロトコル送信処理部２７により生成されたアプリケーションプロトコルパケットに処理を実施する。
【００７８】
一実施例においては、ネットワークプロトコル送信処理部２８はＵＤＰカプセル化ユニット２４及びＩＰカプセル化ユニット２５を含む。本実施例の処理法は、図３ａ及び図３ｂに示した通りである。図３ａ及び図３ｂは、ＩＰネットワーク中にＲＴＰ層を含む無線信号ＩＰ伝送（Ｒａｄｉｏ  Ｏｖｅｒ  ＩＰ）用のネットワークプロトコルカプセル化法、及びＩＰネットワーク中にＲＴＰ層を含まない無線信号ＩＰ伝送（Ｒａｄｉｏ  Ｏｖｅｒ  ＩＰ）用のネットワークプロトコルカプセル化法を、それぞれ示したものである。図３ａに示したもののような無線信号ＩＰ送信カプセル化構造においては、最上層はＩ／Ｑデータペイロード、そして以下、ペイロードヘッダ、ＲＴＰ（リアルタイム伝送プロトコル）ヘッダ、ＵＤＰ（ユーザーデータグラムプロトコル）ヘッダ及びＩＰｖ４又はＩＰｖ６ヘッドの各層へと続く。
【００７９】
ＩＰ層のソースアドレス及びあて先アドレスとは、それぞれ送信側及び受信側のＩＰアドレスのことである。本発明の送信側及び受信側とは、遠隔無線周波数ユニットに基づく基地局システムにおけるＲＲＵ、遠隔無線周波数ユニットに基づく基地局システムにおけるＭＵ、負荷分散構造を持つ無線基地局等の機能ノードである可能性がある。加えて、以下に説明するように、搬送される各無線信号データストリームのＩＰパケットペイロード部は同じサイズを持っている為、各搬送無線信号データストリームのＩＰパケットは、等しい長さを持つ。
【００８０】
ＵＤＰヘッダの構造は、図６に示す通りである。無線信号ＩＰ伝送（Ｒａｄｉｏ  Ｏｖｅｒ  ＩＰ）におけるＵＤＰ層の主な機能は、多重化である。同じ機能ノードに異なるセル（セクタを含む）の無線信号があったり、同じセル内に異なる搬送周波数の無線信号があったり、同じ機能ノードに異なる無線インターフェース規格やシステムの無線信号があったり等、同じ機能ノードには複数の異なる無線信号が存在し得る。同じ機能ノード中のそれぞれの無線信号は、それぞれにアドレスを指定され、異なる処理が実施されなければならない。例えば、アップリンク方向においては、異なるモジュール又はユニットにより、異なるセル（セクタを含む）、異なる搬送周波数及び異なる無線インターフェース規格及びシステムのアップリンク信号にチャネル処理を実施しなければならず、ダウンリンク方向においては、異なる無線周波数チャネルにより、異なるセル（セクタを含む）、異なる搬送周波数及び異なる無線インターフェース規格及びシステムのダウンリンク信号を伝送しなければならない。従ってトランスポート層は、対応する処理が実施されるように差別化する為の異なるアドレスを提供しなければならない。よって異なるセル（セクタを含む）、異なる搬送周波数及び異なる無線インターフェース規格及びシステムのアップリンク及びダウンリンク信号は、差別化され、ＩＰアドレス及びＵＤＰポートの組み合わせによりアドレス指定されるのである。ＵＤＰヘッダ中の他のフィールドの用法は、ＩＥＴＦ仕様書“ＲＦＣ７６８，ユーザデータグラムプロトコル（Ｕｓｅｒ  Ｄａｔａｇｒａｍ  Ｐｒｏｔｏｃｏｌ）”に準拠する。
【００８１】
他の実施例においては、ネットワークプロトコル送信処理部は、ＭＰＬＳ仮想回路ラベルをマーキングする為のＭＰＬＳ仮想回路ラベルマーキングユニットと、ＭＰＬＳトンネルラベルをマーキングする為のＭＰＬＳトンネルラベルマーキングユニットとを含んでいる。
【００８２】
ＭＰＬＳ（マルチプロトコルラベルスイッチ）技術は、その高速スイッチング能力、スケーラビリティ、ＱｏＳ（クォリティオブサービス）管理及びトラヒックエンジニアリング実現の容易性から、大規模広帯域パケットネットワークの構築に向けた効果的なソリューションとなっている。その関連する技術に関しては、ＩＥＴＦのＲＦＣ３０３１、ＲＦＣ３０３２、ＲＦＣ３０３６等といった関連仕様書を見ることが出来る。図４ａ及び図４ｂは、ＭＰＬＳネットワーク中にＲＴＰ層を含む無線信号パケット伝送（Ｒａｄｉｏ  Ｏｖｅｒ  ＭＰＬＳ）と、ＭＰＬＳネットワーク中にＲＴＰ層を含まない無線信号パケット伝送（Ｒａｄｉｏ  Ｏｖｅｒ  ＭＰＬＳ）とを、それぞれに示している。図４ａに示したように、送信側（例えばＭＵ）及び受信側（例えばＲＲＵ）がいずれもＭＰＬＳのラベル配布プロトコル（ＬＤＰ）をサポートしている場合、又はＭＰＬＳのラベルスイッチ経路（ＬＳＰ）を静的に構成することにより、ＲＴＰをＭＰＬＳ上で直接的に搬送することが可能である。図４ａに示すもののような無線信号ＭＰＬＳ送信カプセル化構造におけるそれぞれの層とは、最上層から最下層の順に、Ｉ／Ｑデータペイロード、ペイロードヘッダ、ＲＴＰヘッダ、１つ以上のラベルを順番に含むＭＰＬＳ仮想回路ラベル及びＭＰＬＳトンネルラベルである。ＩＰ伝送と同様、図４ｂはＲＴＰ層を使わずに、しかし無線信号データストリームをＭＰＬＳ上で直接的に搬送するカプセル化構造を示している。
【００８３】
ＭＰＬＳのラベルは、１つ以上のラベルから成るラベルスタックである。図８は、一般的なＭＰＬＳラベルスタックの１ラベルエントリの構造を示すものである。それぞれのフィールドに関する定義については、ＩＥＴＦ仕様書、“ＲＦＣ３０３２，ＭＰＬＳ  ラベルスタックエンコーディング（Ｌａｂｅｌ  Ｓｔａｃｋ  Ｅｎｃｏｄｉｎｇ）”を参照されたい。図４ａ及び図４ｂにおいては、ＭＰＬＳトンネルラベルは遠隔無線周波数ユニットに基づく基地局システム中のＭＵ及びそれぞれのＲＲＵ間、及び負荷分散構造を持つ無線基地局間の接続を識別する為に利用されており、そしてＭＰＬＳ仮想回路ラベルは多重化機能を持っており、同じ接続における異なるセル（セクタを含む）異なる搬送周波数及び異なる無線インターフェース規格及びシステムのアップリンク及びダウンリンク無線信号の差別化の為に利用される。
【００８４】
他の実施例においては、図５ａ及び図５ｂに示すように、ＭＰＬＳ−ｉｎ−ＩＰ混合無線信号パケット送信カプセル化構造を用いることにより、ＭＰＬＳ及びＩＰの混合ネットワークを介した無線信号パケット送信を実施するアプリケーションにそのようなカプセル化構造を適用することが出来る。本実施例においては、ネットワークプロトコル送信処理部は、ＭＰＬＳ仮想回路ラベルをマーキングする為のＭＰＳＬ仮想回路ラベルマーキングユニット、ＭＰＬＳトンネルラベルをマーキングする為のＭＰＬＳトンネルラベルマーキングユニット、及びＩＰプロトコルカプセル化を実施する為のユニットを含んでいる。本カプセル化構造においては、ＭＰＬＳトンネルラベルの下のＩＰ層のソースアドレス及びあて先アドレスは、送信側及び受信側それぞれのＩＰアドレスにも対応している。送信側及び受信側とは、遠隔無線周波数ユニットに基づく基地局システムにおけるＲＲＵ、遠隔無線周波数ユニットに基づく基地局システムにおけるＭＵ、負荷分散構造を持つ無線基地局等の機能ノードである可能性がある。ＭＰＬＳ−ｉｎ−ＩＰに関するより詳細な説明については、ＩＥＴＦ  ＲＦＣ“ＩＰのＭＰＬＳラベルスタックカプセル化、ドラフト−ワースター−ｍｐｌｓ−イン−ＩＰ−０５、２００１年７月（ＭＰＬＳ  Ｌａｂｅｌ  Ｓｔａｃｋ  ｅｎｃａｐｓｕｌａｔｉｏｎ  ｉｎ  ＩＰ，  ｄｒａｆｔ−ｗｏｒｓｔｅｒ−ｍｐｌｓ−ｉｎ−ｉｐ−０５，Ｊｕｌｙ  ２００１）”を参照することが出来る。
【００８５】
留意すべきは、前記機能ノード中にある異なるセル、搬送周波数及び無線インターフェース規格に対応する異なる無線信号ブランチには、異なるＵＤＰポート（又はＭＰＬＳ仮想回路ラベル）が使われる。
【００８６】
最後に無線信号を搬送する為のそれぞれのブランチのＩＰ（又はＭＰＬＳ）パケット、及び管理制御クラス情報を搬送する為のＩＰ（又はＭＰＬＳ）パケットは、送信スケジューリングユニット２６を介して伝送されるもので、ここで送信スケジューリングユニット２６は、無線信号を搬送する為のそれぞれのブランチのＩＰ（又はＭＰＬＳ）パケットには、例えば循環スケジューリングのような同じ優先順位に基づいてスケジューリングを適用し、管理制御クラス情報を搬送する為のＩＰ（又はＭＰＬＳ）パケットにはより低い伝送優先順位を適用する。
【００８７】
図１４ａに戻ると、ステップＳ１６においては、最終パケットが送信ポートから送信される。その後ステップＳ１０に戻る。
【００８８】
図１３ｂは、本発明の一実施例に基づく無線信号パケット受信システム３０を描いた概略ブロック図である。システム３０は、ネットワークプロトコル受信処理部３６及びアプリケーションプロトコル受信処理部３７を含んでいる。
【００８９】
図１４ｂのフローチャートは、システム３０の受信処理を示すものである。図１４ｂに示されるように、ステップＳ２０において、システム３０はネットワークプロトコル（例えばＩＰ又はＭＰＬＳ）パケットを受信ポートから受ける。ネットワークプロトコルパケットは、上述したシステム２０により処理された後に生成されるものである。
【００９０】
次にステップＳ２２において、ネットワークプロトコル受信処理部３６は受信したネットワークプロトコル（例えばＩＰ又はＭＰＬＳ）パケットに処理を実施してその中にあるアプリケーションプロトコルパケットを取得する。本実施例においては、受信されたネットワークプロトコルパケットは、図３ａ及び図３ｂにおいて示したようにプロトコルカプセル化後はＩＰパケットである。ネットワークプロトコル受信処理部３６は、ＩＰヘッダを処理してＵＤＰパケットを抽出するＩＰパースユニット３１、ＵＤＰヘッダを処理してアプリケーションプロトコルパケットを抽出するＵＤＰパースユニット３２を含む。ステップＳ２２はステップＳ１４を逆に処理するものである為、重複部に関しては特に説明はしないものとする。他の実施例においては、受信されたネットワークプロトコルパケットは、図４ａ及び図４ｂに示したようにプロトコルカプセル化されたネットワークプロトコルパケットである。ネットワークプロトコル受信処理部３６は、対応するようにＭＰＬＳトンネルラベルを処理する為のユニット及びＭＰＬＳ仮想回路ラベルを処理する為のユニットを含んでいる。他の実施例においては、受信されたネットワークプロトコルパケットは、図５ａ及び図５ｂに示したようにプロトコルカプセル化されたネットワークプロトコルパケットである。ネットワークプロトコル受信処理部３６は、対応するようにＩＰヘッダを処理してＭＰＬＳパケットを抽出する為のユニット、ＭＰＬＳトンネルラベルを処理する為のユニット及びＭＰＬＳ仮想回路ラベルを処理する為のユニットを含んでいる。ステップＳ２２においては、異なる機能ノードにより受信されたネットワークプロトコルパケットがネットワークプロトコル受信処理部３６中の対応するユニットにより処理され、上述した管理制御クラス情報を搬送するパケットが異なるトランスポート層プロトコル又はトランスポート層アドレスに基づいて識別され、そして残りのパケットが、同じ機能ノード内の異なるセル、搬送周波数及び無線インターフェース規格に対応する異なる無線信号ブランチについて、ＵＤＰポート又はＭＰＬＳ仮想回路ラベルに基づいて逆多重化される（例えばそのブランチのパケットデータストリームを分離し、アプリケーションプロトコル受信処理部３７中の対応する受信経路へと出力する）。
【００９１】
次にステップＳ２４において、それぞれのブランチのパケットが、アプリケーションプロトコル受信処理部３７内の対応する処理経路において更に処理される。一実施例においては、アプリケーションプロトコル受信処理部３７の処理経路は、ＲＴＰ処理ユニット３３、ペイロード処理ユニット３４及びＩ／Ｑデータ再構築ユニット３５を含んでおり、ここでアプリケーションプロトコルパケットはステップＳ１２においてＲＴＰ層を含む方式に基づいて生成されたアプリケーションプロトコルパケットに対応するものであり、ＲＴＰ処理ユニット３３及びペイロード処理ユニット３４の処理は、ＲＴＰカプセル化ユニット２３及びペイロードカプセル化ユニット２２の処理を逆に実施するものである。ＲＴＰ処理ユニット３３の処理においては、ＲＴＰヘッダフィールド及びペイロードヘッダフィールドにより搬送される情報を使って対応する処理が同時に実施されるものであり、ここでは受信されたパケットは受信側におけるパケットシーケンス番号を使って再ソートされ、これと同時に、パケットネットワーク中間ノード又は受信側によりタイムアウトで破棄されたパケットは、パディングデータにより埋められ（一般に、対応するＩ／Ｑサンプリング信号に０が埋められる）、これによりＩ／Ｑ無線信号の順次伝送が保証される。加えて送信側及び受信側は、無線フレーム同期、ＲＴＴ推定、ＲＲＵ待ち時間修正、無線信号パケット伝送リンク同期外れ検出等を含む先に説明した機能を、無線信号パケット伝送リンク同期外れ表示、無線フレーム同期表示、対応無線フレーム開始位置ポインタ等の、上述した対応するＲＴＰヘッダフィールド及びペイロードヘッダフィールドが搬送する情報を使って実施する。最後にＲＴＰ処理ユニット３３及びペイロード処理ユニット３４がアプリケーションプロトコルパケットを処理してＩ／Ｑデータペイロードセグメントを取得し、Ｉ／Ｑデータ再構築ユニット３５へと出力する。Ｉ／Ｑデータ再構築ユニット３５はＩ／Ｑデータストリームを回復及び再構築するもので、ここで多重アンテナシステムに複数の並列チャネルがある等の場合でも、並列チャネルそれぞれの無線信号Ｉ／Ｑサンプルデータストリームを正しく分離することが可能である。
【００９２】
他の実施例においては、ＲＴＰ処理ユニット３３は省くことが出来る。この場合、アプリケーションプロトコルパケットは、ＲＴＰヘッダは含まないが、図９に示すようにペイロードヘッダを含んでいる。ペイロード処理ユニット３４はＲＴＰ処理ユニット３３の主な機能を含んでいる。
【００９３】
送信側がＭＵであり、受信側がＲＲＵである場合、又は送信側が基地局であり、受信側が他の基地局である場合、ステップＳ２４において、受信されたデータストリームに基づき、無線フレームタイミング回復機能も実施される。上述したように、ＲＴＰヘッダ及びペイロードヘッダの識別ビット、及びペイロードヘッダポインタフィールドは、無線フレームの同期及び往復伝送待ち時間（ＲＴＴ）の測定用に共に用いられるもので、その原理は図１１に示した。
【００９４】
遠隔無線周波数ユニットに基づく基地局システムを例に挙げると、ＭＵ側の無線フレームタイミングは、それに接続する全ＲＲＵのタイミング基準である。ダウンリンク方向において、ＭＵは固定ペイロード長でダウンリンクＩ／Ｑベースバンド信号サンプリングシーケンスを分割し、これらを固定長のパケットにカプセル化してそれぞれのＲＲＵへと伝送する（説明の便宜上、パケットペイロード長及び無線フレーム長は、いずれもサンプリング時間間隔の倍数で表現されるものとする）。パケットペイロード部へとカプセル化されたダウンリンクＩ／Ｑベースバンド信号サンプリングシーケンスにおけるサンプリングポイントのサンプリング時間が無線フレームの開始時間と等しい場合、パケットペイロードヘッダ（ＲＴＰを用いた場合はＲＴＰヘッダを含む）の識別ビットはＭ＝１である。これと同時に、パケットペイロードヘッダのポインタフィールドは、無線フレーム開始時間と同じサンプリング時間を持つ前記サンプリングポイントのサンプリング位置を指し示すもので、例えばポインタフィールドの値は、パケットペイロード部中の最初のサンプリングポイントからそのサンプリングポイントまでの間におけるサンプリングポイント数である。無線フレーム長は、必ずしもパケットペイロード長の整数倍であるとは限らないことから、無線フレームの開始位置が対応するパケットペイロード位置は変化する。容易にわかるように、上述した処理は、Ｉ／Ｑベースバンド信号サンプリングシーケンス自体を時間軸として使うことにより、実際に無線フレームのタイミングをマーキングするものである。
【００９５】
例えば、ＲＲＵがダウンリンクＩ／Ｑベースバンド信号サンプリングシーケンスのセグメントを搬送するパケットをＭＵから受けると同時にそのＩ／Ｑベースバンド信号サンプリングシーケンスを順次再構築した後、上述した識別ビット及びポインタフィールドを用いることにより無線フレームタイミングを回復することが可能である。
【００９６】
ステップＳ２４の後、取得されたＩ／ＱデータストリームはステップＳ２６にて出力され、その後処理はステップＳ２０へと戻る。
【００９７】
上述した送受信実施例に基づき、ＲＴＴ及びＲＲＵ待ち時間修正の推定が提供される。ＭＵ側における無線フレームタイミングと比較すると、ＲＲＵ側において回復された無線フレームタイミングは一定の遅延を持っている。この遅延は、無線フレーム開始位置をマーキングする為のパケットのパッキング待ち時間及びそのダウンリンク伝送待ち時間を含んでおり、ここでパッキング待ち時間とは、無線フレーム開始時間からパケットペイロード部中の最後のサンプリングポイントのサンプリング時間までの、ＭＵにおける時間である。少なくともパケットをカプセル化して送出することが出来るまでの時間周期は待たなければならないこと、そしてこのパッキング待ち時間は既知であることから、ポインタフィールドの値及びパケットペイロード長を使ってパッキング待ち時間を計算することが出来る。無線フレーム開始位置をマーキングする為のパケットのペイロード部ポインタフィールドの値をＰＤＬ、ダウンリンク方向のＩ／Ｑデータペイロードカプセル化におけるサンプリングポイント数をＳＤＬ、そしてダウンリンク方向のサンプリング時間間隔をＴＤＬとした場合、ダウンリンク方向のパッキング待ち時間は以下の通りである。
【００９８】
【数３】
2008506322.tif 000005
【００９９】
上述した変更後のパッキング待ち時間に対する修正の実施、及び無線フレームタイミングの周期性（ダウンリンク無線フレームが周期的再現性を持っている場合、ほとんどの無線アクセス技術がこの特性を持つ）を用いた平滑化処理の実施により、精度の高い無線フレームタイミングをＲＲＵ側で取得することが可能である。
【０１００】
アップリンク方向において、ＲＲＵも固定ペイロード長でアップリンクＩ／Ｑベースバンドサンプリングシーケンスを分割し、それらを固定長のパケットへとカプセル化してＭＵへと送信する。パケットペイロード部中にカプセル化されたアップリンクＩ／Ｑベースバンドサンプリングシーケンスのセグメント中のサンプリングポイントのサンプリング時間が、ＲＲＵの取得した無線フレームタイミングのフレーム開始時間と等しい場合、パケットペイロードヘッダ（ＲＴＰを用いている場合、ＲＴＰヘッダを含む）の識別ビットはＭ＝１である。これと同時に、パケットペイロードヘッダのポインタフィールドは、無線フレーム開始時間と同じサンプリング時間を持つそのサンプリングポイントのサンプリング位置を指し示すもので、例えばポインタフィールドの値は、パケットペイロード部中の最初のサンプリングポイントからそのサンプリングポイントまでの間におけるサンプリングポイント数である。また、無線フレーム長は、必ずしもパケットペイロード長の整数倍であるとは限らないことから、無線フレームの開始位置が対応するパケットペイロード位置は変化する。
【０１０１】
ＭＵがアップリンクＩ／Ｑベースバンド信号サンプリングシーケンスのセグメントを搬送するパケットをＲＲＵから受信すると同時にそのＩ／Ｑベースバンド信号サンプリングシーケンスを順次再構築した後、上述した識別ビット及びポインタフィールドを用いることによりＲＲＵによりフィードバックされる無線フレーム開始位置の時間を決定することが出来る。更に、その時間はＲＲＵにおける無線フレーム開始位置の時間と比較して特定の遅延を持っている。この遅延は、無線フレーム開始位置をマーキングする為のパケットのパッキング待ち時間と、そのアップリンク伝送待ち時間を含み、そのパッキング待ち時間とは無線フレーム開始時間からパケットペイロード部中の最後のサンプリングポイントのサンプリング時間までのＲＲＵにおける時間である。無線フレームスタート位置をマーキングする為のパケットのペイロード部ポインタフィールド値をＰＵＬ、ダウンリンク方向のＩ／Ｑデータペイロードカプセル化におけるサンプリングポイント数をＳＵＬ、そしてダウンリンク方向のサンプリング時間間隔をＴｓＵＬとした場合、アップリンク方向のパッキング待ち時間は以下の式の通り算出することが出来る。
【０１０２】
【数４】
2008506322.tif 000006
【０１０３】
よってＭＵにおいて、ＲＲＵによりフィードバックされた無線フレーム開始位置の時間と、その元の無線フレームタイミング開始位置の時間との間の差τΣを、式（３）及び式（４）と共に使うことにより、往復伝送待ち時間（ＲＴＴ）の推定値を取得することが可能である。
【０１０４】
【数５】
2008506322.tif 000007
【０１０５】
ここでτｄＤＬ及びτｄＵＬは、それぞれダウンリンク方向伝送待ち時間及びアップリンク方向伝送待ち時間である。
【０１０６】
ＲＴＣＰを用いた計測と比較すると、上述した技術を使ってＲＴＴを計測した場合、ＲＴＣＰ処理の複雑性を回避することが出来、また、これはＲＴＰ層を利用しない場合においても適用可能である。同時に、周期的計測を実施するものであることから、ＲＴＴのリアルタイムでの変化を追跡することが可能であり、周期性を用いた平滑化処理を実施することでより高い精度のＲＴＴ計測結果を得ることが出来る。
【０１０７】
ＲＲＵが無線フレームタイミングを取得する理由とは、ＲＲＵの無線周波数モジュール（無線周波数電力増幅器、周波数合成器等）がしばしば無線フレームタイミングを時間基準として使う周期的制御信号を必要とすること、そしてＴＤＤ（時分割二重）システム中の無線周波数モジュール、モードスイッチ、送受信スイッチ等に関わるオンオフ制御に対して厳しいタイミング条件を持っていることから、取得したフレームタイミングをＲＲＵが局所的及び周期的に利用して上述した信号を生成することが出来るようにする為である（それぞれの制御信号の開始及び停止時間は、パラメータ設定し、制御プレーン信号により変更することが出来る）。
【０１０８】
ＴＤＤモードの無線インターフェース技術においては、それぞれのＲＲＵが厳密な同期のもとにアップリンク受信及びダウンリンク送信を実施するものであることを保証しなければならない。ＴＤＤシステムにおけるそれぞれのセルのアップリンク及びダウンリンク送受信タイミングの同期外れは、異なるセルの送受信スロット間に相互干渉を生じ、ハンドオフにおいて進むタイミングの調整に影響を与えることから、それぞれのＲＲＵ無線フレームタイミングの同期を保証する必要があるのである。ＴＤＤモードにおけるセルの同期問題に関する考察については、３ＧＰＰ（第三世代協力プロジェクト（Ｔｈｉｒｄ  Ｇｅｎｅｒａｔｉｏｎ  Ｃｏｏｐｅｒａｔｉｏｎ  Ｐｒｏｊｅｃｔ））の“ＴＲ２５，８３６，ＴＤＤのノードＢ同期（ＮｏｄｅＢ  Ｓｙｎｃｈｒｏｎｉｚａｔｉｏｎ  ｆｏｒ  ＴＤＤ）”という文献を参照されたい。ＦＤＤ（周波数分割二重）モードの無線インターフェース技術については、それぞれのセルの無線フレームに厳密な同期が要求されない場合はＲＲＵ待ち時間修正処理は実施されなくても良く、要求される場合はＲＲＵ待ち時間修正が更に実施される。
【０１０９】
上述したように、上述の方法でそれぞれのＲＲＵにより取得された無線フレームタイミングは異なっており、この差は異なる伝送待ち時間により生じたものである。この為、本発明によれば、ＭＵは取得したそれぞれのＲＲＵのＲＴＴ計測値を用いることで、それぞれのＲＲＵへと送り出す無線フレームタイミングを相対的に進める又は遅らせることが出来ることにより（例えばパケット中のペイロード部ポインタフィールドの値を相対的に増やす又は減じることによりダウンリンク方向における無線フレーム開始位置をマーキングする等）、それぞれのＲＲＵの無線フレームタイミングが等しくなる傾向となり、これによってそれぞれのＲＲＵのＲＴＴ変化が追跡され、それぞれのＲＲＵの無線フレームタイミングの同期が維持されるのである。
【０１１０】
図１２ａ及び図１２ｂは、ＲＴＴ計測に基づく待ち時間修正の概略図である。図に示されるように、中間はＲＲＵにおける待ち時間修正前のタイミングであり、そして一番下はＲＲＵにおける待ち時間修正後のタイミングである。図に示されるように、左側矢印はそれぞれのＲＲＵに対応するＭＵ側におけるフレーム開始時間を示しており、中間矢印はＲＲＵ側で受信されたフレーム開始時間を示しており、右側矢印はＲＲＵからＭＵへとフィードバックされたフレーム開始時間を示している。基準タイミングの往復伝送待ち時間はＲＴＴ０であり、ＲＲＵの往復伝送待ち時間はＲＴＴ１である。図１２ａにおいては、ＲＲＵのＲＴＴ１は基準タイミングＲＴＴ０よりもΔＲＴＴ＝ＲＴＴ１−ＲＴＴ２＞０分大きく、従ってＭＵはＲＲＵへと向けられるフレーム開始時間を１／２ΔＲＴＴ進めることによりＲＲＵ側で受信されるフレーム開始時間が基準タイミングと一致するようにしなければならない。対照的に、図１２ｂにおいては、ＲＲＵのＲＴＴ１は基準タイミングＲＴＴ０よりもΔＲＴＴ＝ＲＴＴ１−ＲＴＴ２＞０分小さく、従ってＭＵはＲＲＵへと向けられるフレーム開始時間を１／２ΔＲＴＴ遅らせることによりＲＲＵ側で受信されるフレーム開始時間が基準タイミングと一致するようにしなければならない。
【０１１１】
実際のところ、上述した待ち時間修正処理においては、アップリンク及びダウンリンク伝送待ち時間が等しいことを前提としており、これはほとんどのアプリケーションに適用可能である。特定のアプリケーションのアップリンク及びダウンリンク伝送待ち時間が等しくない場合、それぞれのＲＲＵへと送られる無線フレームタイミングを進める又は遅らせる量をある修正率で増大させることが可能である（例えば１／２（１＋γ）ΔＲＴＴの修正、ここで−１＜γ＜１）。修正率は実際の計測を通じて取得した実験値により決定することが出来る。加えて、上記待ち時間修正処理における基準タイミングは、全ＲＲＵが待ち時間修正を実施する為の基準であるが、しかしその値の選択はそれぞれのＲＲＵの相対的なタイミング同期に影響を及ぼすものではなく、それぞれのＲＲＵに対応するＭＵ側の平均フレーム開始時間に影響を及ぼすものである。よって上記基準タイミングは、それぞれのＲＲＵに対応するＭＵ側の平均フレーム開始時間により決定される。
【０１１２】
待ち時間計測及び修正方法を、ＭＵを送信側、そしてＲＲＵを受信側とした例において説明して来たが、当業者には明らかなように、このような方法は必要に応じて本発明の送受信法を採用するいずれの送信側及び受信側にも適用可能であり、同期目的及び同期条件の特定の定義に基づいて相応にタイミング調整を送ることが可能である。
【０１１３】
伝送待ち時間、待ち時間ジッタ、パケット喪失等といった、無線信号パケット伝送におけるＱｏＳ（クウォリティオブサービス（Ｑｕａｌｉｔｙ  ｏｆ  Ｓｅｒｖｉｃｅ））性能パラメータの中でも、伝送待ち時間は無線信号パケットの伝送品質に影響を与える重要な要素である。無線インターフェース技術は物理層において、高速クローズドループパワー制御、クローズドループ送信ダイバーシチ、ＡＲＱ（自動再送要求（Ａｕｔｏｍａｔｉｃ  Ｒｅｔｒａｎｓｍｉｓｓｉｏｎ  Ｒｅｑｕｅｓｔ））等のフィードバック制御技術の採用を益々進めていることから、フィードバック制御性能を高める為に可能な限りフィードバック制御ループに固有の待ち時間を低減することが必要であり、従って無線信号パケット伝送におけるアップリンク及びダウンリンク伝送待ち時間は出来る限り低減しなければならない。
【０１１４】
パケット伝送の伝送待ち時間は、主にパケットパッキング待ち時間及びネットワーク伝送待ち時間から成るもので、ここでパケットパッキング待ち時間はパケット長により決まり、ネットワーク伝送待ち時間は主にネットワーク中のスイッチ／ルーティングノードのパケット転送待ち時間により決まる。加えて、受信側は待ち時間ジッタを廃除する為にパケットをバッファしなければならず、待ち時間ジッタが大きければ大きい程、受信バッファにより生じる待ち時間も長くなることから、待ち時間ジッタも総待ち時間に影響を与えるものである。本発明によれば、伝送待ち時間や待ち時間ジッタ等を低減する（ＱｏＳ性能の改善）為に、以下の方法を採用することが出来る。
【０１１５】
１）伝送効率の向上と、伝送待ち時間の低減との間のトレードオフにより、最も好適なパケット長を選択する（例えばパケットペイロード部の無線信号データストリームのセグメント長とする等）。統計的にパケット長を設定することの他に、実際に計測された伝送待ち時間又はＲＴＴに基づいてパケット長を動的に変化させることにより、特定の伝送待ち時間条件に合わせることが出来る。
【０１１６】
２）無線信号パケット伝送におけるアップリンク及びダウンリンクデータストリームの量は比較的に固定されており、周知でもある為、ネットワーク構築及びネットワーク設定においてトラヒックの伝送経路及びスイッチ／ルーティングノードのパケット転送ポリシーの計画及び最適化を実施することにより、伝送待ち時間及び待ち時間ジッタを可能な限り低減することが出来る。この対策は、ＭＰＬＳに基づく伝送方式に、特に適用可能である。
【０１１７】
３）ネットワーク中の無線信号パケット伝送に関わるトラヒック以外にも、他のトラヒック（少なくとも無線信号パケット伝送自体のリンク制御管理パケットが含まれる）が存在することから、ＱｏＳの制御機構、代表的にはディフサーブ（ＤｉｆｆＳｅｒｖ）の分割機構（サービスの差別化）、ＭＰＬＳにおけるＦＥＣ（フォワードエキバレントクラス（Ｆｏｒｗａｒｄ  Ｅｑｕｉｖａｌｅｎｔ  Ｃｌａｓｓ））等を使って無線信号データストリームを搬送するパケットをなるべく高いＱｏＳレベルに設定することにより、そのＱｏＳ性能を保証する。
【０１１８】
４）無線信号パケット伝送においては、無線信号データストリームを搬送する為のパケットの他にも、無線信号のパケット伝送（Ｒａｄｉｏ  Ｏｖｅｒ  Ｐａｃｋｅｔ）リンク制御及び管理、ＲＴＣＰ、ＬＤＰ、ＲＲＵ処理メンテナンス等といった様々な管理制御パケットを含む他のパケットが存在する。無線信号データストリーム伝送のＱｏＳ性能を保証する為には、無線信号のパケット伝送（Ｒａｄｉｏ  Ｏｖｅｒ  Ｐａｃｋｅｔ）リンク伝送パケットの送信側がパケットを伝送する場合、優先順位に基づくパケットスケジューリングを実施することにより、無線信号データストリームを搬送するパケットが最も高い優先順位で送られなければならない。
【０１１９】
先に説明したように、ペイロードヘッダ及びＲＴＰヘッダの関連フィールド、ＲＴＣＰ等を使って伝送待ち時間（同等にＲＴＴ）、待ち時間ジッタ、パケット喪失等のＱｏＳ性能をリアルタイムで監視することは可能である。異常があった場合、対応する異常処理及び適応処理を実施し、無線信号パケット伝送のＱｏＳ性能を保証することが出来る。
【０１２０】
移動通信システムにおいては、基地局内の無線周波数ユニットの周波数安定性条件は高く、時に０．０５ｐｐｍの精度を要求される。従って、ＲＲＵは高い安定性を持つ周波数基準を取得しなければならない。これと同時に、デジタル無線信号データストリームは無線信号パケット伝送におけるパケットを通じて受信側へと伝送されることから、元のビットタイミング情報はパケット伝送後に失われる。受信側にて無線信号データストリームを再構築するには、デジタル無線信号データストリームのビットタイミング情報を回復、又は取得する必要がある。また、無線基地局を支持する負荷分散構造においては、基地局は既存技術を通じて高い安定性を持つ同期クロック信号を取得することが出来る為、通常はクロックの回復を実施する必要がない。
【０１２１】
遠隔無線周波数ユニットに基づく基地局システムにおいては、ＭＵは常に高い安定性を持つ周波数基準を取得することが出来、ＲＲＵはそれに同期した、高い安定性を持つクロックを回復又は取得する必要がある。一方で、必要とされる周波数基準が無線周波数部へと提供される一方、ダウンリンクデジタル無線信号データストリームが再構築され、アップリンク方向の無線信号データストリームの生成の為に利用される。この為には、ＲＲＵが必要とするデジタル無線信号データストリームのビットタイミング及び高い安定性を持つ周波数基準を取得する為の、可能な二つの異なる方法を採用することが出来る。一つは、共通グローバルクロックを採用することである。代表的な実施方法は、ＭＵ及びそれぞれのＲＲＵが全てＧＰＳ（グローバルポジショニングシステム（Ｇｌｏｂａｌ  Ｐｏｓｉｔｉｏｎｉｎｇ  Ｓｙｓｔｅｍ））から高い安定性を持つ周波数基準を取得し、それをデジタル無線信号データストリームのサンプリングクロックソースとするというものである。他方は、伝送された連続データストリームの固定ビットレートの特徴を利用することにより、位相ロックループ（ＰＬＬ）を通じて一定したデータストリームのクロックを回復する適応型クロックリカバリ技術を採用することである。米国特許第６，７３１，６４９号、“ＴＤＭ  ｏｖｅｒ  ＩＰ（ＩＰ回線エミュレーションサービス（ＩＰ  Ｃｉｒｃｕｉｔ  Ｅｍｕｌａｔｉｏｎ  Ｓｅｒｖｉｃｅ））”は、そのような技術を採用している。
【０１２２】
遠隔無線周波数ユニットに基づく基地局システムにおいては、ＲＲＵ及びＭＵ間にはデジタル無線信号データストリームの他に対応する管理制御クラス情報があり、これがパケットネットワークにより伝送される。
【０１２３】
１）無線信号のパケット伝送（Ｒａｄｉｏ  Ｏｖｅｒ  Ｐａｃｋｅｔ）リンク制御、管理及びメンテナンス信号送信：リンク確立、変更及び削除、処理モードネゴシエーション、レートネゴシエーション、ペイロードフォーマットネゴシエーション、リンク監視等を含む。
【０１２４】
２）ＲＲＵのそれぞれの無線周波数モジュールのパラメータ設定、状態監視、警告等。
【０１２５】
３）ＲＲＵの処理メンテナンス情報：ソフトウェア／ファームウェアのアップグレードやコンフィギュレーション管理等。
【０１２６】
４）パケット伝送技術に関するプロトコル：ＲＴＣＰ、ＬＤＰ、ＩＧＭＰ（インターネットグループ管理プロトコル）、ＱｏＳに関連する制御プロトコル等。
【０１２７】
無線信号のパケット伝送（Ｒａｄｉｏ  Ｏｖｅｒ  Ｐａｃｋｅｔ）リンク制御、管理及びメンテナンス信号送信及びＲＲＵの処理メンテナンス情報は、代表的にはＴＣＰ（伝送制御プロトコル）／ＩＰ上の専用制御プロトコル中で搬送することが出来るもので、また、これはＵＤＰ／ＩＰ上のＳＮＭＰ（簡易ネットワーク管理プロトコル）においても搬送し、対応するＭＩＢ（管理情報ベース）を定義することが可能であり、ＲＲＵの処理メンテナンス情報は代表的にはＵＤＰ／ＩＰ上のＳＮＭＰ中で搬送することが出来る。
【０１２８】
当業者には周知のように、上述した具体的フォーマット、値及び実施例は単に例示したに過ぎず、本発明を限定するものではない。当業者であれば、本明細書の説明に基づいて他の変更を加えた実施例や変化形態を得ることができる。
【図面の簡単な説明】
【０１２９】
【図１ａ】無線アクセスネットワークの構造を示す概略図である。
【図１ｂ】従来の基地局の構造を示す概略図である。
【図２】遠隔無線周波数ユニットに基づく集中基地局システムの構造を示すブロック図である。
【図３ａ】本発明の一実施例に基づく、ＲＴＰ層を含むＩＰ送信カプセル化構造を示す図である。
【図３ｂ】本発明の一実施例に基づく、ＲＴＰ層を含まないＩＰ送信カプセル化構造を示す図である。
【図４ａ】本発明の一実施例に基づく、ＲＴＰ層を含むＭＰＬＳ送信カプセル化構造を示す図である。
【図４ｂ】本発明の一実施例に基づく、ＲＴＰ層を含まないＭＰＬＳ送信カプセル化構造を示す図である。
【図５ａ】本発明の一実施例に基づく、ＲＴＰ層を含むＭＰＬＳ−ｉｎ−ＩＰ送信カプセル化構造を示す図である。
【図５ｂ】本発明の一実施例に基づく、ＲＴＰ層を含まないＭＰＬＳ−ｉｎ−ＩＰ送信カプセル化構造を示す図である。
【図６】本発明の一実施例において利用されるＵＤＰヘッダ構造を示す図である。
【図７】本発明の一実施例において利用されるＲＴＰヘッダ構造を示す図である。
【図８】本発明の一実施例において利用されるＭＰＬＳラベルエントリ構造を示す図である。
【図９】本発明の推奨される実施例において利用されるペイロードヘッダ構造を示す図である。
【図１０】本発明の推奨される実施例において利用されるＩ／Ｑデータペイロードのカプセル化構造を示す図である。
【図１１】無線フレームタイミング及びＲＴＴの計測を示す概略図である。
【図１２ａ】ＲＲＵ待ち時間修正の概略図である。
【図１２ｂ】ＲＲＵ待ち時間修正の概略図である。
【図１３ａ】本発明の一実施例に基づく無線信号パケット送信システムを描いた概略ブロック図である。
【図１３ｂ】本発明の一実施例に基づく無線信号パケット受信システムを描いた概略ブロック図である。
【図１４ａ】本発明の一実施例に基づく無線信号パケット送受信それぞれのフローチャートである
【図１４ｂ】本発明の一実施例に基づく無線信号パケット送受信それぞれのフローチャートである
【符号の説明】
【０１３０】
１０  集中基地局
１１  チャネル処理ユニット
１３  遠隔無線周波数ユニット
【図１ａ】
2008506322.tif 000008
【図１ｂ】
2008506322.tif 000009
【図２】
2008506322.tif 000010
【図３ａ】
2008506322.tif 000011
【図３ｂ】
2008506322.tif 000012
【図４ａ】
2008506322.tif 000013
【図４ｂ】
2008506322.tif 000014
【図５ａ】
2008506322.tif 000015
【図５ｂ】
2008506322.tif 000016
【図６】
2008506322.tif 000017
【図７】
2008506322.tif 000018
【図８】
2008506322.tif 000019
【図９】
2008506322.tif 000020
【図１０】
2008506322.tif 000021
【図１１】
2008506322.tif 000022
【図１２ａ】
2008506322.tif 000023
【図１２ｂ】
2008506322.tif 000024
【図１３ａ】
2008506322.tif 000025
【図１３ｂ】
2008506322.tif 000026
【図１４ａ】
2008506322.tif 000027
【図１４ｂ】
2008506322.tif 000028
【国際調査報告】
2008506322.tif 000029
2008506322.tif 000030
2008506322.tif 000031
2008506322.tif 000032